(57)【要約】      （修正有）【課題】容易に認識されることのないモバイル端末のプライバシー保護方法および保護装置並びにモバイル端末を提供する。【解決手段】方法は、アプリケーション起動命令を取得するステップと、アプリケーション起動命令に従ってユーザの生体特徴を能動的に取得するステップと、ユーザの取得された生体特徴が予め設定された生体特徴と一致する場合、対応するアプリケーションの暗号化コンテンツリストおよび非暗号化コンテンツリストを表示するステップとを含む。アプリケーションの暗号化コンテンツリストは、アプリケーション内の暗号化コンテンツに従って生成され、アプリケーションの非暗号化コンテンツリストは、アプリケーション内の非暗号化コンテンツに従って生成され、アプリケーション内の暗号化コンテンツは、ユーザの取得された生体特徴が、予め設定された生体特徴と一致しない場合に提示されないコンテンツである。【選択図】図１
2020004424.tif 000002
【特許請求の範囲】
【請求項１】
モバイル端末のプライバシー保護方法であって、前記方法は、
アプリケーション起動命令を取得するステップと、
前記アプリケーション起動命令に従ってユーザの生体特徴を能動的に取得するステップと、
前記ユーザの前記取得された生体特徴が予め設定された生体特徴と一致する場合、対応するアプリケーションの暗号化コンテンツリストおよび非暗号化コンテンツリストを表示するステップと
を含み、
前記アプリケーションの前記暗号化コンテンツリストは、前記アプリケーション内の暗号化コンテンツに従って生成され、前記アプリケーションの前記非暗号化コンテンツリストは、前記アプリケーション内の非暗号化コンテンツに従って生成され、前記アプリケーション内の前記暗号化コンテンツは、前記ユーザの前記取得された生体特徴が、前記予め設定された生体特徴と一致しない場合に提示されないコンテンツである、方法。
【請求項２】
ユーザの生体特徴を能動的に取得する前記ステップの後に、前記方法は、
前記ユーザの前記生体特徴が取得されない場合、前記アプリケーションの前記非暗号化コンテンツリストを表示するステップ、または
前記ユーザの前記取得された生体特徴が前記予め設定された生体特徴と一致しない場合、前記アプリケーションの前記非暗号化コンテンツリストを表示するステップ
をさらに含む、請求項1に記載の方法。
【請求項３】
ユーザの生体特徴を能動的に取得する前記ステップは、
前記ユーザの顔特徴を能動的に取得するステップ、または
前記ユーザの目の虹彩特徴を能動的に取得するステップ、または
前記ユーザの指紋を能動的に取得するステップ
を含む、請求項1または2に記載の方法。
【請求項４】
前記アプリケーションの前記非暗号化コンテンツリストを表示する前記ステップの後に、前記方法は、
前記モバイル端末のタッチ画面を使用して、前記非暗号化コンテンツリストを操作する際に、前記ユーザによって入力された指紋を能動的に取得するステップと、
前記能動的に取得された指紋が前記予め設定された生体特徴と一致する場合、前記アプリケーションの前記暗号化コンテンツリストおよび前記非暗号化コンテンツリストを表示するステップと
をさらに含む、請求項2に記載の方法。
【請求項５】
前記アプリケーションの前記暗号化コンテンツリストおよび前記非暗号化コンテンツリストを表示する前記ステップの後に、前記方法は、
前記暗号化コンテンツリストの第1のエントリを開くために前記ユーザによって入力された、第1の命令を取得するステップと、
前記第1の命令に従って、前記第1のエントリに対応するコンテンツを提示するステップと、
前記第1の命令に従って、前記ユーザによって入力された生体特徴を取得するステップと、
前記ユーザによって入力された前記生体特徴が前記予め設定された生体特徴と一致する場合、前記第1のエントリを非暗号化状態に設定するステップと
をさらに含む、請求項2または4に記載の方法。
【請求項６】
前記アプリケーションの前記暗号化コンテンツリストおよび前記非暗号化コンテンツリストを表示する前記ステップの後に、前記方法は、
前記非暗号化コンテンツリストの第2のエントリを開くために前記ユーザによって入力された、第2の命令を取得するステップと、
前記第2の命令に従って、前記第2のエントリに対応するコンテンツを提示するステップと、
前記第2の命令に従って、前記ユーザによって入力された生体特徴を取得するステップと、
前記ユーザによって入力された前記生体特徴が前記予め設定された生体特徴と一致する場合、前記第2のエントリを暗号化状態に設定するステップと
をさらに含む、請求項2または4に記載の方法。
【請求項７】
アプリケーション起動命令を取得する前記ステップの前に、前記方法は、
ロック画面インタフェース上に前記ユーザによって入力されたロック解除命令を取得するステップと、
前記ロック解除命令に従って前記ユーザの前記生体特徴を能動的に取得するステップと、
前記ユーザの前記取得された生体特徴が前記予め設定された生体特徴と一致する場合、暗号化アプリケーションアイコンおよび非暗号化アプリケーションアイコンを表示するステップと
をさらに含み、
前記暗号化アプリケーションアイコンは、前記ユーザの前記取得された生体特徴が前記予め設定された生体特徴と一致しない場合に提示されないアプリケーションアイコンである、請求項1から6のいずれか一項に記載の方法。
【請求項８】
前記ロック解除命令に従って前記ユーザの前記生体特徴を能動的に取得する前記ステップの後に、前記方法は、
前記ユーザの前記生体特徴が取得されない場合、前記非暗号化アプリケーションアイコンを表示するステップ、または
前記ユーザの前記取得された生体特徴が前記予め設定された生体特徴と一致しない場合、前記非暗号化アプリケーションアイコンを表示するステップ
をさらに含む、請求項7に記載の方法。
【請求項９】
前記アプリケーション起動命令に従ってユーザの生体特徴を能動的に取得する前記ステップは、
前記モバイル端末が位置する地理的位置および環境に関する情報を取得するステップと、
前記モバイル端末が位置する前記地理的位置に関する情報が予め設定された地理的位置情報と一致する場合、および／または、前記環境情報が予め設定された環境情報と一致する場合、前記アプリケーション起動命令に従って、前記ユーザの前記生体特徴を能動的に取得するステップと
をさらに含む、請求項1から8のいずれか一項に記載の方法。
【請求項１０】
モバイル端末のプライバシー保護方法であって、前記方法は、
ロック画面インタフェース上にユーザによって入力されたロック解除命令を取得するステップと、
前記ロック解除命令に従って前記ユーザの生体特徴を能動的に取得するステップと、
前記ユーザの前記取得された生体特徴が予め設定された生体特徴と一致する場合、ロック解除された第1のインタフェースを提示するステップであって、前記第1のインタフェースのインタフェース要素は、暗号化アプリケーションアイコンおよび非暗号化アプリケー
ションアイコンを含む、ステップと
を含み、
前記暗号化アプリケーションアイコンは、前記ユーザの前記取得された生体特徴が前記予め設定された生体特徴と一致しない場合に提示されないアプリケーションアイコンである、方法。
【請求項１１】
前記ユーザの前記取得された生体特徴が前記予め設定された生体特徴と一致しない場合、ロック解除された第2のインタフェースが提示され、前記第2のインタフェースのインタフェース要素は、前記非暗号化アプリケーションアイコンを含む、請求項10に記載の方法。
【請求項１２】
前記ロック解除命令に従って前記ユーザの生体特徴を能動的に取得する前記ステップは、
前記モバイル端末が位置する地理的位置および環境に関する情報を取得するステップと、
前記モバイル端末が位置する前記地理的位置に関する情報が予め設定された地理的位置情報と一致する場合、および／または、前記環境情報が予め設定された環境情報と一致する場合、前記アプリケーション起動命令に従って、前記ユーザの前記生体特徴を能動的に取得するステップと
をさらに含む、請求項10または11に記載の方法。
【請求項１３】
モバイル端末のプライバシー保護装置であって、前記装置は、
アプリケーション起動命令を取得するように構成された、命令取得部と、
前記アプリケーション起動命令に従ってユーザの生体特徴を能動的に取得するように構成された、生体特徴取得部と、
前記ユーザの前記取得された生体特徴が予め設定された生体特徴と一致する場合、対応するアプリケーションの暗号化コンテンツリストおよび非暗号化コンテンツリストを表示するように構成された、表示部と
を含み、
前記アプリケーションの前記暗号化コンテンツリストは、前記アプリケーション内の暗号化コンテンツに従って生成され、前記アプリケーションの前記非暗号化コンテンツリストは、前記アプリケーション内の非暗号化コンテンツに従って生成され、前記アプリケーション内の前記暗号化コンテンツは、前記ユーザの前記取得された生体特徴が、前記予め設定された生体特徴と一致しない場合に提示されないコンテンツである、装置。
【請求項１４】
前記表示部は、前記ユーザの前記生体特徴が取得されない場合、前記アプリケーションの前記非暗号化コンテンツリストを表示するようにさらに構成され、または
前記表示部は、前記ユーザの前記取得された生体特徴が前記予め設定された生体特徴と一致しない場合、前記アプリケーションの前記非暗号化コンテンツリストを表示するようにさらに構成されている、請求項13に記載の装置。
【請求項１５】
前記生体特徴取得部は、前記ユーザの顔特徴を能動的に取得するように構成された、撮影サブユニットを含み、または
前記生体特徴取得部は、前記ユーザの目の虹彩特徴を能動的に取得するように構成された、撮影サブユニットを含み、または
前記生体特徴取得部は、前記ユーザの指紋を能動的に取得するように構成された、指紋取得サブユニットを含む、請求項13または14に記載の装置。
【請求項１６】
前記指紋取得サブユニットは、前記モバイル端末のタッチ画面を使用して、前記非暗号化コンテンツリストを操作する際に、前記ユーザによって入力された指紋を能動的に取得
するようにさらに構成され、
前記表示部は、前記能動的に取得された指紋が前記予め設定された生体特徴と一致する場合、前記アプリケーションの前記暗号化コンテンツリストおよび前記非暗号化コンテンツリストを表示するようにさらに構成されている、請求項14に記載の装置。
【請求項１７】
前記命令取得部は、前記暗号化コンテンツリストの第1のエントリを開くために前記ユーザによって入力された、第1の命令を取得するようにさらに構成され、
前記表示部は、前記第1の命令に従って、前記第1のエントリに対応するコンテンツを提示するようにさらに構成され、
前記生体特徴取得部は、前記第1の命令に従って、前記ユーザによって入力された生体特徴を取得するようにさらに構成され、
前記装置は、前記ユーザによって入力された前記生体特徴が前記予め設定された生体特徴と一致する場合、前記第1のエントリを非暗号化状態に設定するように構成された、設定部をさらに含む、請求項14または16に記載の装置。
【請求項１８】
前記命令取得部は、前記非暗号化コンテンツリストの第2のエントリを開くために前記ユーザによって入力された、第2の命令を取得するようにさらに構成され、
前記表示部は、前記第2の命令に従って、前記第2のエントリに対応するコンテンツを提示するようにさらに構成され、
前記生体特徴取得部は、前記第2の命令に従って、前記ユーザによって入力された生体特徴を取得するようにさらに構成され、
前記設定部は、前記ユーザによって入力された前記生体特徴が前記予め設定された生体特徴と一致する場合、前記第2のエントリを暗号化状態に設定するようにさらに構成されている、請求項14または16に記載の装置。
【請求項１９】
前記命令取得部は、ロック画面インタフェース上に前記ユーザによって入力されたロック解除命令を取得するようにさらに構成され、
前記生体特徴取得部は、前記ロック解除命令に従って前記ユーザの前記生体特徴を能動的に取得するようにさらに構成され、
前記表示部は、前記ユーザの前記取得された生体特徴が前記予め設定された生体特徴と一致する場合、暗号化アプリケーションアイコンおよび非暗号化アプリケーションアイコンを表示するようにさらに構成され、
前記暗号化アプリケーションアイコンは、前記ユーザの前記取得された生体特徴が前記予め設定された生体特徴と一致しない場合に提示されないアプリケーションアイコンである、請求項13から18のいずれか一項に記載の装置。
【請求項２０】
前記表示部は、前記ユーザの前記生体特徴が取得されない場合、前記非暗号化アプリケーションアイコンを表示するようにさらに構成され、または
前記表示部は、前記ユーザの前記取得された生体特徴が前記予め設定された生体特徴と一致しない場合、前記非暗号化アプリケーションアイコンを表示するようにさらに構成されている、請求項19に記載の装置。
【請求項２１】
前記装置は、前記モバイル端末が位置する地理的位置および環境に関する情報を取得するように構成された、地理的位置および環境情報取得部
をさらに含み、
前記生体特徴取得部は、前記モバイル端末が位置する前記地理的位置に関する情報が予め設定された地理的位置情報と一致する場合、および／または、前記環境情報が予め設定された環境情報と一致する場合、前記アプリケーション起動命令に従って、前記ユーザの前記生体特徴を能動的に取得するようにさらに構成されている、請求項13から20のいずれか一項に記載の装置。
【請求項２２】
モバイル端末のプライバシー保護装置であって、前記装置は、
ロック画面インタフェース上にユーザによって入力されたロック解除命令を取得するように構成された、命令取得部と、
前記ロック解除命令に従って前記ユーザの生体特徴を能動的に取得するように構成された、生体特徴取得部と、
前記ユーザの前記取得された生体特徴が予め設定された生体特徴と一致する場合、ロック解除された第1のインタフェースを提示するように構成された表示部であって、前記第1のインタフェースのインタフェース要素は、暗号化アプリケーションアイコンおよび非暗号化アプリケーションアイコンを含む、表示部と
を含み、
前記暗号化アプリケーションアイコンは、前記ユーザの前記取得された生体特徴が前記予め設定された生体特徴と一致しない場合に提示されないアプリケーションアイコンである、装置。
【請求項２３】
前記表示部は、前記ユーザの前記取得された生体特徴が前記予め設定された生体特徴と一致しない場合、ロック解除された第2のインタフェースを提示するようにさらに構成され、前記第2のインタフェースのインタフェース要素は、前記非暗号化アプリケーションアイコンを含む、請求項22に記載の装置。
【請求項２４】
前記装置は、前記モバイル端末が位置する地理的位置および環境に関する情報を取得するように構成された、地理的位置および環境情報取得部
をさらに含み、
前記生体特徴取得部は、前記モバイル端末が位置する前記地理的位置に関する情報が予め設定された地理的位置情報と一致する場合、および／または、前記環境情報が予め設定された環境情報と一致する場合、前記アプリケーション起動命令に従って、前記ユーザの前記生体特徴を能動的に取得するようにさらに構成されている、請求項22または23に記載の装置。
【請求項２５】
モバイル端末であって、前記モバイル端末は、
アプリケーション起動命令を取得するように構成された、プロセッサと、
前記アプリケーション起動命令に従ってユーザの生体特徴を能動的に取得するように構成された、入力装置と、
前記ユーザの前記取得された生体特徴が予め設定された生体特徴と一致する場合、対応するアプリケーションの暗号化コンテンツリストおよび非暗号化コンテンツリストを表示するように構成された、出力装置と
を含み、
前記アプリケーションの前記暗号化コンテンツリストは、前記アプリケーション内の暗号化コンテンツに従って生成され、前記アプリケーションの前記非暗号化コンテンツリストは、前記アプリケーション内の非暗号化コンテンツに従って生成され、前記アプリケーション内の前記暗号化コンテンツは、前記ユーザの前記取得された生体特徴が、前記予め設定された生体特徴と一致しない場合に提示されないコンテンツである、モバイル端末。
【請求項２６】
前記出力装置は、前記ユーザの前記生体特徴が取得されない場合、前記アプリケーションの前記非暗号化コンテンツリストを表示するようにさらに構成され、または
前記出力装置は、前記ユーザの前記取得された生体特徴が前記予め設定された生体特徴と一致しない場合、前記アプリケーションの前記非暗号化コンテンツリストを表示するようにさらに構成されている、請求項25に記載のモバイル端末。
【請求項２７】
前記入力装置は、前記ユーザの顔特徴を能動的に取得するようにさらに構成され、また
は
前記入力装置は、前記ユーザの目の虹彩特徴を能動的に取得するようにさらに構成され、または
前記入力装置は、前記ユーザの指紋を能動的に取得するようにさらに構成されている、請求項25または26に記載のモバイル端末。
【請求項２８】
前記入力装置は、前記モバイル端末のタッチ画面を使用して、前記非暗号化コンテンツリストを操作する際に、前記ユーザによって入力された指紋を能動的に取得するようにさらに構成され、
前記出力装置は、前記能動的に取得された指紋が前記予め設定された生体特徴と一致する場合、前記アプリケーションの前記暗号化コンテンツリストおよび前記非暗号化コンテンツリストを表示するようにさらに構成されている、請求項26に記載のモバイル端末。
【請求項２９】
前記プロセッサは、前記暗号化コンテンツリストの第1のエントリを開くために前記ユーザによって入力された、第1の命令を取得するようにさらに構成され、
前記出力装置は、前記第1の命令に従って、前記第1のエントリに対応するコンテンツを提示するようにさらに構成され、
前記入力装置は、前記第1の命令に従って、前記ユーザによって入力された生体特徴を取得するようにさらに構成され、
前記プロセッサは、前記ユーザによって入力された前記生体特徴が前記予め設定された生体特徴と一致する場合、前記第1のエントリを非暗号化状態に設定するようにさらに構成されている、請求項26または28に記載のモバイル端末。
【請求項３０】
前記プロセッサは、前記非暗号化コンテンツリストの第2のエントリを開くために前記ユーザによって入力された、第2の命令を取得するようにさらに構成され、
前記出力装置は、前記第2の命令に従って、前記第2のエントリに対応するコンテンツを提示するようにさらに構成され、
前記入力装置は、前記第2の命令に従って、前記ユーザによって入力された生体特徴を取得するようにさらに構成され、
前記プロセッサは、前記ユーザによって入力された前記生体特徴が前記予め設定された生体特徴と一致する場合、前記第2のエントリを暗号化状態に設定するようにさらに構成されている、請求項26または28に記載のモバイル端末。
【請求項３１】
前記プロセッサは、ロック画面インタフェース上に前記ユーザによって入力されたロック解除命令を取得するようにさらに構成され、
前記入力装置は、前記ロック解除命令に従って前記ユーザの前記生体特徴を能動的に取得するようにさらに構成され、
前記出力装置は、前記ユーザの前記取得された生体特徴が前記予め設定された生体特徴と一致する場合、暗号化アプリケーションアイコンおよび非暗号化アプリケーションアイコンを表示するようにさらに構成され、
前記暗号化アプリケーションアイコンは、前記ユーザの前記取得された生体特徴が前記予め設定された生体特徴と一致しない場合に提示されないアプリケーションアイコンである、請求項25から30のいずれか一項に記載のモバイル端末。
【請求項３２】
前記出力装置は、前記ユーザの前記生体特徴が取得されない場合、前記非暗号化アプリケーションアイコンを表示するようにさらに構成され、または
前記出力装置は、前記ユーザの前記取得された生体特徴が前記予め設定された生体特徴と一致しない場合、前記非暗号化アプリケーションアイコンを表示するようにさらに構成されている、請求項31に記載のモバイル端末。
【請求項３３】
前記入力装置は、前記モバイル端末が位置する地理的位置および環境に関する情報を取得するようにさらに構成され、
前記入力装置は、前記モバイル端末が位置する前記地理的位置に関する情報が予め設定された地理的位置情報と一致する場合、および／または、前記環境情報が予め設定された環境情報と一致する場合、前記アプリケーション起動命令に従って、前記ユーザの前記生体特徴を能動的に取得するようにさらに構成されている、請求項25から33のいずれか一項に記載のモバイル端末。
【請求項３４】
モバイル端末であって、前記モバイル端末は、
ロック画面インタフェース上にユーザによって入力されたロック解除命令を取得するように構成された、プロセッサと、
前記ロック解除命令に従って前記ユーザの生体特徴を能動的に取得するように構成された、入力装置と、
前記ユーザの前記取得された生体特徴が予め設定された生体特徴と一致する場合、ロック解除された第1のインタフェースを提示するように構成された出力装置であって、前記第1のインタフェースのインタフェース要素は、暗号化アプリケーションアイコンおよび非暗号化アプリケーションアイコンを含む、出力装置と
を含み、
前記暗号化アプリケーションアイコンは、前記ユーザの前記取得された生体特徴が前記予め設定された生体特徴と一致しない場合に提示されないアプリケーションアイコンである、モバイル端末。
【請求項３５】
前記出力装置は、前記ユーザの前記取得された生体特徴が前記予め設定された生体特徴と一致しない場合、ロック解除された第2のインタフェースを提示するようにさらに構成され、前記第2のインタフェースのインタフェース要素は、前記非暗号化アプリケーションアイコンを含む、請求項34に記載のモバイル端末。
【請求項３６】
前記入力装置は、前記モバイル端末が位置する地理的位置および環境に関する情報を取得するようにさらに構成され、
前記入力装置は、前記モバイル端末が位置する前記地理的位置に関する情報が予め設定された地理的位置情報と一致する場合、および／または、前記環境情報が予め設定された環境情報と一致する場合、前記アプリケーション起動命令に従って、前記ユーザの前記生体特徴を能動的に取得するようにさらに構成されている、請求項34または35に記載のモバイル端末。
【発明の詳細な説明】
【技術分野】
【０００１】
本発明は、端末分野に関し、特に、モバイル端末のプライバシー保護方法および保護装置、並びにモバイル端末に関する。
【背景技術】
【０００２】
技術と対人コミュニケーションが発展するにつれて、モバイル端末は人々のコミュニケーションにとって重要な手段となっている。モバイル端末は一般的に個人用の物品であるが、対人関係、拒否困難、または礼儀などの理由により、人々はモバイル端末が他の人によって使用されるのを完全に防ぐことができない。ショート・メッセージ・サービス・メッセージ、連絡先、通話記録、写真、およびインスタント・メッセージのメッセージなど、多くの人々のプライバシーがモバイル端末に存在する。人々は、モバイル端末が他の人によって使用される際、プライバシーが保護され得ると期待している。モバイル端末のプライバシー保護の問題を解決するため、プライバシー保護モードがほとんどのモバイル端末に設定され、所有者以外のユーザがプライバシー保護モードでモバイル端末におけるプライバシーを取得することが困難となることを確実にする。
【０００３】
従来技術において、プライバシー保護モードは、複数の方法で実施されてもよい。1つの方法は、モバイル端末がプライバシー保護モードにあるとき、端末内のアプリケーションが開かれたときに仮想データを戻すことである。例えば、プライバシー保護モードでは、開かれたアルバムは空白を表示してもよく、ユーザによって設定された公開写真のみを表示してもよい。この方法の欠点は、戻された仮想データの設定が比較的複雑で面倒であり、多くのアプリケーションがある場合には設定がより面倒であることである。さらに、仮想データ設定が十分現実的でない場合、この方法は他のユーザに容易に認識され、不必要な羞恥を引き起こす。
【０００４】
他の方法は、異なる認証方法を設定することによって異なるモードに入ることである。例えば、プライバシーモードと通常の動作モードは、異なるパスワード、パターン、PINコード、および指紋に対応する。この方法の設定は比較的簡便であるが、この方法において、一般的にユーザはパスワードの入力やパターンの描画、または指紋のスキャンを促されているので、使用されるモードがユーザに容易に認識される。例えば、モバイル端末は、異なるパスワードに従って異なるモードに入るように設定される。一般に、正しいパスワードが入力されると通常モードになり、不正なパスワードが入力されるとプライバシー保護モードに入る。この場合、モバイル端末は、ユーザにパスワードの入力を促し、不正なパスワードを入力するユーザによって、ロック画面を解除することができる。ユーザは、入力されたパスワードが不正なパスワードであるが、ロック画面が解除されていることを知っているので、ユーザはプライバシー保護モードに入ったと認識する。この方法のもう1つの欠点は、ロック画面を解除する場合にのみ認証情報を入力する必要があり、ロック画面の解除後、ユーザがアプリケーションを操作する際にプライバシー保護を実施できないことである。
【０００５】
従来技術において、簡便で効率的であり、さらにユーザに容易に認識されることを回避することができるモバイル端末のプライバシー保護方法がないことが分かる。
【発明の概要】
【０００６】
そこで、本発明の実施形態の目的は、モバイル端末のプライバシーが保護されていること、およびアプリケーションの使用時にはプライバシーが保護されていないことをユーザが容易に認識してしまうという問題を解決するために、モバイル端末のプライバシー保護方法および保護装置、並びにモバイル端末を提供することである。
【課題を解決するための手段】
【０００７】
前述の技術的問題を解決するために、本発明の実施形態は、以下の技術解決策を開示する。
【０００８】
第1の態様によれば、モバイル端末のプライバシー保護方法が提供され、本方法は、
アプリケーション起動命令を取得するステップと、
アプリケーション起動命令に従ってユーザの生体特徴を能動的に取得するステップと、
ユーザの取得された生体特徴が予め設定された生体特徴と一致する場合、対応するアプリケーションの暗号化コンテンツリストおよび非暗号化コンテンツリストを表示するステップと
を含み、
アプリケーションの暗号化コンテンツリストは、アプリケーション内の暗号化コンテンツに従って生成され、アプリケーションの非暗号化コンテンツリストは、アプリケーション内の非暗号化コンテンツに従って生成され、アプリケーション内の暗号化コンテンツは、ユーザの取得された生体特徴が、予め設定された生体特徴と一致しない場合に提示されないコンテンツである。
【０００９】
第1の態様に関連して、第1の態様の第1の可能な実施態様において、ユーザの生体特徴を能動的に取得するステップの後に、本方法は、
ユーザの生体特徴が取得されない場合、アプリケーションの非暗号化コンテンツリストを表示するステップ、または
ユーザの取得された生体特徴が予め設定された生体特徴と一致しない場合、アプリケーションの非暗号化コンテンツリストを表示するステップ
をさらに含む。
【００１０】
第1の態様および第1の態様の第1の可能な実施態様において、第1の態様の第2の可能な実施態様において、ユーザの生体特徴を能動的に取得するステップは、
ユーザの顔特徴を能動的に取得するステップ、または
ユーザの目の虹彩特徴を能動的に取得するステップ、またはユーザの指紋を能動的に取得するステップ
を含む。
【００１１】
第1の態様の第1の可能な実施態様に関連して、第1の態様の第3の可能な実施態様において、
アプリケーションの非暗号化コンテンツリストを表示するステップの後に、本方法は、
モバイル端末のタッチ画面を使用して、非暗号化コンテンツリストを操作する際にユーザによって入力された指紋を能動的に取得するステップと、
能動的に取得された指紋が予め設定された生体特徴と一致する場合、アプリケーションの暗号化コンテンツリストおよび非暗号化コンテンツリストを表示するステップと
をさらに含む。
【００１２】
第1の態様の第1の可能な実施態様および第1の態様の第3の可能な実施態様に関連して、第1の態様の第4の可能な実施態様において、アプリケーションの暗号化コンテンツリストおよび非暗号化コンテンツリストを表示するステップの後に、本方法は、
暗号化コンテンツリストの第1のエントリを開くためにユーザによって入力された、第1の命令を取得するステップと、
第1の命令に従って、第1のエントリに対応するコンテンツを提示するステップと、
第1の命令に従って、ユーザによって入力された生体特徴を取得するステップと、
ユーザによって入力された生体特徴が予め設定された生体特徴と一致する場合、第1のエントリを非暗号化状態に設定するステップと
をさらに含む。
【００１３】
第1の態様の第1の可能な実施態様および第1の態様の第3の可能な実施態様に関連して、第1の態様の第5の可能な実施態様において、アプリケーションの暗号化コンテンツリストおよび非暗号化コンテンツリストを表示するステップの後に、本方法は、
非暗号化コンテンツリストの第2のエントリを開くためにユーザによって入力された、第2の命令を取得するステップと、
第2の命令に従って、第2のエントリに対応するコンテンツを提示するステップと、
第2の命令に従って、ユーザによって入力された生体特徴を取得するステップと、
ユーザによって入力された生体特徴が予め設定された生体特徴と一致する場合、第2のエントリを暗号化状態に設定するステップと
をさらに含む。
【００１４】
第1の態様の第1の態様から第5の可能な実施態様のいずれか1つに関連して、第1の態様の第6の可能な実施態様において、アプリケーション起動命令を取得するステップの前に、本方法は、
ロック画面インタフェース上にユーザによって入力されたロック解除命令を取得するステップと、
ロック解除命令に従ってユーザの生体特徴を能動的に取得するステップと、
ユーザの取得された生体特徴が予め設定された生体特徴と一致する場合、暗号化アプリケーションアイコンおよび非暗号化アプリケーションアイコンを表示するステップと
をさらに含み、
暗号化アプリケーションアイコンは、ユーザの取得された生体特徴が予め設定された生体特徴と一致しない場合に提示されないアプリケーションアイコンである。
【００１５】
第1の態様に関連して、第1の態様の第7の可能な実施態様において、ロック解除命令に従って、ユーザの生体特徴を能動的に取得するステップの後に、本方法は、
ユーザの生体特徴が取得されない場合、非暗号化アプリケーションアイコンを表示するステップ、または
ユーザの取得された生体特徴が予め設定された生体特徴と一致しない場合、非暗号化アプリケーションアイコンを表示するステップ
をさらに含む。
【００１６】
第1の態様の第1の態様から第7の可能な実施態様のいずれか1つに関連して、第1の態様の第8の可能な実施態様において、アプリケーション起動命令に従ってユーザの生体特徴を能動的に取得するステップは、
モバイル端末が位置する地理的位置および環境に関する情報を取得するステップと、
モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するステップと
をさらに含む。
【００１７】
第2の態様によれば、モバイル端末のプライバシー保護方法が提供され、本方法は、
ロック画面インタフェース上にユーザによって入力されたロック解除命令を取得するステップと、
ロック解除命令に従ってユーザの生体特徴を能動的に取得するステップと、
ユーザの取得された生体特徴が予め設定された生体特徴と一致する場合、ロック解除された第1のインタフェースを提示するステップであって、第1のインタフェースのインタフェース要素は、暗号化アプリケーションアイコンおよび非暗号化アプリケーションアイコンを含む、ステップと
を含み、
暗号化アプリケーションアイコンは、ユーザの取得された生体特徴が予め設定された生体特徴と一致しない場合に提示されないアプリケーションアイコンである。
【００１８】
第2の態様に関連して、第2の態様の第1の可能な実施態様において、ユーザの取得された生体特徴が予め設定された生体特徴と一致しない場合、ロック解除された第2のインタフェースが提示される。第2のインタフェースのインタフェース要素は、非暗号化アプリケーションアイコンを含む。
【００１９】
第2の態様の第2の態様および第1の可能な実施態様に関連して、第2の態様の第2の可能な実施態様において、ロック解除命令に従ってユーザの生体特徴を能動的に取得するステップは、
モバイル端末が位置する地理的位置および環境に関する情報を取得するステップと、
モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するステップと
をさらに含む。
【００２０】
第3の態様によれば、モバイル端末のプライバシー保護装置が提供され、本装置は、
アプリケーション起動命令を取得するように構成された、命令取得部と、
アプリケーション起動命令に従ってユーザの生体特徴を能動的に取得するように構成された、生体特徴取得部と、
ユーザの取得された生体特徴が予め設定された生体特徴と一致する場合、対応するアプリケーションの暗号化コンテンツリストおよび非暗号化コンテンツリストを表示するように構成された、表示部と
を含み、
アプリケーションの暗号化コンテンツリストは、アプリケーション内の暗号化コンテンツに従って生成され、アプリケーションの非暗号化コンテンツリストは、アプリケーション内の非暗号化コンテンツに従って生成され、アプリケーション内の暗号化コンテンツは、ユーザの取得された生体特徴が、予め設定された生体特徴と一致しない場合に提示されないコンテンツである。
【００２１】
第3の態様に関連して、第3の態様の第1の可能な実施態様において、表示部は、ユーザの生体特徴が取得されない場合、アプリケーションの非暗号化コンテンツリストを表示するようにさらに構成され、または
表示部は、ユーザの取得された生体特徴が予め設定された生体特徴と一致しない場合、アプリケーションの非暗号化コンテンツリストを表示するようにさらに構成されている。
【００２２】
第3の態様の第3の態様および第1の可能な実施態様に関連して、第3の態様の第2の可能な実施態様において、生体特徴取得部は、ユーザの顔特徴を能動的に取得するように構成された、撮影サブユニットを含み、または
生体特徴取得部は、ユーザの目の虹彩特徴を能動的に取得するように構成された、撮影サブユニットを含み、または
生体特徴取得部は、ユーザの指紋を能動的に取得するように構成された、指紋取得サブユニットを含む。
【００２３】
第3の態様の第1の可能な実施態様に関連して、第3の態様の第3の可能な実施態様において、指紋取得サブユニットは、モバイル端末のタッチ画面を使用して、非暗号化コンテンツリストを操作する際にユーザによって入力された指紋を能動的に取得するようにさらに構成され、
表示部は、能動的に取得された指紋が予め設定された生体特徴と一致する場合、アプリケーションの暗号化コンテンツリストおよび非暗号化コンテンツリストを表示するようにさらに構成されている。
【００２４】
第3の態様の第1の可能な実施態様および第3の態様の第3の可能な実施態様に関連して、第3の態様の第4の可能な実施態様において、命令取得部は、暗号化コンテンツリストの第1のエントリを開くためにユーザによって入力された、第1の命令を取得するようにさらに構成され、
表示部は、第1の命令に従って、第1のエントリに対応するコンテンツを提示するようにさらに構成され、
生体特徴取得部は、第1の命令に従って、ユーザによって入力された生体特徴を取得するようにさらに構成され、
装置は、ユーザによって入力された生体特徴が予め設定された生体特徴と一致する場合、第1のエントリを非暗号化状態に設定するように構成された、設定部をさらに含む。
【００２５】
第3の態様の第1の可能な実施態様および第3の態様の第3の可能な実施態様に関連して、第3の態様の第5の可能な実施態様において、命令取得部は、非暗号化コンテンツリストの第2のエントリを開くためにユーザによって入力された、第2の命令を取得するようにさらに構成され、
表示部は、第2の命令に従って、第2のエントリに対応するコンテンツを提示するようにさらに構成され、
生体特徴取得部は、第2の命令に従って、ユーザによって入力された生体特徴を取得するようにさらに構成され、
設定部は、ユーザによって入力された生体特徴が予め設定された生体特徴と一致する場合、第2のエントリを暗号化状態に設定するようにさらに構成されている。
【００２６】
第3の態様の第3の態様から第5の可能な実施態様のいずれか1つに関連して、第3の態様の第6の可能な実施態様において、命令取得部は、ロック画面インタフェース上にユーザによって入力されたロック解除命令を取得するようにさらに構成され、
生体特徴取得部は、ロック解除命令に従ってユーザの生体特徴を能動的に取得するようにさらに構成され、
表示部は、ユーザの取得された生体特徴が予め設定された生体特徴と一致する場合、暗号化アプリケーションアイコンおよび非暗号化アプリケーションアイコンを表示するようにさらに構成され、
暗号化アプリケーションアイコンは、ユーザの取得された生体特徴が予め設定された生体特徴と一致しない場合に提示されないアプリケーションアイコンである。
【００２７】
第3の態様に関連して、第3の態様の第7の可能な実施態様において、表示部は、ユーザの生体特徴が取得されない場合、非暗号化アプリケーションアイコンを表示するようにさらに構成され、または
表示部は、ユーザの取得された生体特徴が予め設定された生体特徴と一致しない場合、非暗号化アプリケーションアイコンを表示するようにさらに構成される。
【００２８】
第3の態様の第3の態様から第7の可能な実施態様のいずれか1つに関連して、第3の態様の第8の可能な実施態様において、本装置は、
モバイル端末が位置する地理的位置および環境に関する情報を取得するように構成された、地理的位置および環境情報取得部をさらに含み、
生体特徴取得部は、モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するようにさらに構成されている。
【００２９】
第4の態様によれば、モバイル端末のプライバシー保護装置が提供され、本装置は、
ロック画面インタフェース上にユーザによって入力されたロック解除命令を取得するように構成された、命令取得部と、
ロック解除命令に従ってユーザの生体特徴を能動的に取得するように構成された、生体特徴取得部と、
ユーザの取得された生体特徴が予め設定された生体特徴と一致する場合、ロック解除された第1のインタフェースを提示するように構成された表示部であって、第1のインタフェースのインタフェース要素は、暗号化アプリケーションアイコンおよび非暗号化アプリケーションアイコンを含む、表示部と
を含み、
暗号化アプリケーションアイコンは、ユーザの取得された生体特徴が予め設定された生体特徴と一致しない場合に提示されないアプリケーションアイコンである。
【００３０】
第4の態様に関連して、第4の態様の第1の可能な実施態様において、表示部は、ユーザの取得された生体特徴が予め設定された生体特徴と一致しない場合、ロック解除された第2のインタフェースを提示するようにさらに構成されている。第2のインタフェースのインタフェース要素は、非暗号化アプリケーションアイコンを含む。
【００３１】
第4の態様の第4の態様および第1の可能な実施態様に関連して、第4の態様の第2の可能な実施態様において、本装置は、
モバイル端末が位置する地理的位置および環境に関する情報を取得するように構成された、地理的位置および環境情報取得部をさらに含み、
生体特徴取得部は、モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するようにさらに構成されている。
【００３２】
第5の態様によれば、モバイル端末が提供され、モバイル端末は、
アプリケーション起動命令を取得するように構成された、プロセッサと、
アプリケーション起動命令に従ってユーザの生体特徴を能動的に取得するように構成された、入力装置と、
ユーザの取得された生体特徴が予め設定された生体特徴と一致する場合、対応するアプリケーションの暗号化コンテンツリストおよび非暗号化コンテンツリストを表示するように構成された、出力装置と
を含み、
アプリケーションの暗号化コンテンツリストは、アプリケーション内の暗号化コンテンツに従って生成され、アプリケーションの非暗号化コンテンツリストは、アプリケーション内の非暗号化コンテンツに従って生成され、アプリケーション内の暗号化コンテンツは、ユーザの取得された生体特徴が、予め設定された生体特徴と一致しない場合に提示されないコンテンツである。
【００３３】
第5の態様に関連して、第5の態様の第1の可能な実施態様において、出力装置は、ユーザの生体特徴が取得されない場合、アプリケーションの非暗号化コンテンツリストを表示するようにさらに構成され、または
出力装置は、ユーザの取得された生体特徴が予め設定された生体特徴と一致しない場合、アプリケーションの非暗号化コンテンツリストを表示するようにさらに構成されている。
【００３４】
第5の態様および第5の態様の第1の可能な実施態様に関連して、第5の態様の第2の可能な実施態様において、入力装置は、ユーザの顔特徴を能動的に取得するようにさらに構成され、または
入力装置は、ユーザの目の虹彩特徴を能動的に取得するようにさらに構成され、または
入力装置は、ユーザの指紋を能動的に取得するようにさらに構成されている。
【００３５】
第5の態様の第1の可能な実施態様に関連して、第5の態様の第3の可能な実施態様において、入力装置は、モバイル端末のタッチ画面を使用して、非暗号化コンテンツリストを操作する際にユーザによって入力された指紋を能動的に取得するようにさらに構成され、
出力装置は、能動的に取得された指紋が予め設定された生体特徴と一致する場合、アプリケーションの暗号化コンテンツリストおよび非暗号化コンテンツリストを表示するようにさらに構成されている。
【００３６】
第5の態様の第1の可能な実施態様および第5の態様の第3の可能な実施態様に関連して、第5の態様の第4の可能な実施態様において、プロセッサは、暗号化コンテンツリストの第1のエントリを開くためにユーザによって入力された、第1の命令を取得するようにさらに構成され、
出力装置は、第1の命令に従って、第1のエントリに対応するコンテンツを提示するようにさらに構成され、
入力装置は、第1の命令に従って、ユーザによって入力された生体特徴を取得するようにさらに構成され、
プロセッサは、ユーザによって入力された生体特徴が予め設定された生体特徴と一致する場合、第1のエントリを非暗号化状態に設定するようにさらに構成されている。
【００３７】
第5の態様の第1の可能な実施態様および第5の態様の第3の可能な実施態様に関連して、第5の態様の第5の可能な実施態様において、プロセッサは、非暗号化コンテンツリストの第2のエントリを開くためにユーザによって入力された、第2の命令を取得するようにさらに構成され、
出力装置は、第2の命令に従って、第2のエントリに対応するコンテンツを提示するようにさらに構成され、
入力装置は、第2の命令に従って、ユーザによって入力された生体特徴を取得するようにさらに構成され、
プロセッサは、ユーザによって入力された生体特徴が予め設定された生体特徴と一致する場合、第2のエントリを暗号化状態に設定するようにさらに構成されている。
【００３８】
第5の態様の第5の態様から第5の可能な実施態様のいずれか1つに関連して、第5の態様の第6の可能な実施態様において、プロセッサは、ロック画面インタフェース上にユーザによって入力されたロック解除命令を取得するようにさらに構成され、
入力装置は、ロック解除命令に従ってユーザの生体特徴を能動的に取得するようにさらに構成され、
出力装置は、ユーザの取得された生体特徴が予め設定された生体特徴と一致する場合、暗号化アプリケーションアイコンおよび非暗号化アプリケーションアイコンを表示するようにさらに構成され、
暗号化アプリケーションアイコンは、ユーザの取得された生体特徴が予め設定された生体特徴と一致しない場合に提示されないアプリケーションアイコンである。
【００３９】
第5の態様に関連して、第5の態様の第7の可能な実施態様において、出力装置は、ユーザの生体特徴が取得されない場合、非暗号化アプリケーションアイコンを表示するようにさらに構成され、または
出力装置は、ユーザの取得された生体特徴が予め設定された生体特徴と一致しない場合、非暗号化アプリケーションアイコンを表示するようにさらに構成されている。
【００４０】
第5の態様の第5の態様から第7の可能な実施態様のいずれか1つに関連して、第5の態様の第8の可能な実施態様において、
入力装置は、モバイル端末が位置する地理的位置および環境に関する情報を取得するようにさらに構成され、
入力装置は、モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するようにさらに構成されている。
【００４１】
第6の態様によれば、モバイル端末が提供され、モバイル端末は、
ロック画面インタフェース上にユーザによって入力されたロック解除命令を取得するように構成された、プロセッサと、
ロック解除命令に従ってユーザの生体特徴を能動的に取得するように構成された、入力装置と、
ユーザの取得された生体特徴が予め設定された生体特徴と一致する場合、ロック解除された第1のインタフェースを提示するように構成された出力装置であって、第1のインタフェースのインタフェース要素は、暗号化アプリケーションアイコンおよび非暗号化アプリケーションアイコンを含む、出力装置と
を含み、
暗号化アプリケーションアイコンは、ユーザの取得された生体特徴が予め設定された生体特徴と一致しない場合に提示されないアプリケーションアイコンである。
【００４２】
第6の態様に関連して、第6の態様の第1の可能な実施態様において、出力装置は、ユーザの取得された生体特徴が予め設定された生体特徴と一致しない場合、ロック解除された第2のインタフェースを提示するようにさらに構成されている。第2のインタフェースのインタフェース要素は、非暗号化アプリケーションアイコンを含む。
【００４３】
第6の態様の第6の態様および第1の可能な実施態様に関連して、第6の態様の第2の可能な実施態様において、入力装置は、モバイル端末が位置する地理的位置および環境に関する情報を取得するようにさらに構成され、
入力装置は、モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するようにさらに構成されている。
【００４４】
本発明の実施形態は、モバイル端末のプライバシー保護方法を提供する。モバイル端末におけるユーザプライバシーの漏洩を回避し、ユーザプライバシーを保護するために、アプリケーション起動命令が取得された後、ユーザの生体特徴が能動的に取得され、取得された生体特徴が予め設定された生体特徴と一致する場合、暗号化コンテンツおよび非暗号化コンテンツが表示される。さらに、生体特徴を能動的に取得する方法は、ユーザに容易に認識され得ない。
【００４５】
上記一般的な説明および以下の詳細な説明は単なる例であり、本発明の保護範囲を限定することはできないことを理解されたい。
【００４６】
本発明の実施形態における、または従来技術における技術的解決策をより明確に説明するために、以下で、各実施形態または従来技術を説明するのに必要な添付の図面について簡単に記述する。明らかに、以下の説明において添付の図面は単に本発明の一部の実施形態を示しているにすぎず、当業者は、これら添付の図面から難なく他の図面をさらに導出することができる。
【図面の簡単な説明】
【００４７】
【図１】本発明の一実施形態に係るモバイル端末のプライバシー保護方法のフローチャートを示す。
【図２】本発明の一実施形態に係るコンテンツリストを表示する模式図を示す。
【図３】本発明の一実施形態に係る非暗号化コンテンツリストを表示する模式図を示す。
【図４】本発明の一実施形態に係るモバイル端末のプライバシー保護方法のフローチャートを示す。
【図５】本発明の一実施形態に係るモバイル端末のプライバシー保護方法のフローチャートを示す。
【図６】本発明の一実施形態に係る、暗号化コンテンツリストおよび非暗号化コンテンツリストを表示する模式図を示す。
【図７】本発明の一実施形態に係るモバイル端末のプライバシー保護装置の概略構造図を示す。
【図８】本発明の一実施形態に係るモバイル端末のプライバシー保護装置の概略構造図を示す。
【図９】本発明の一実施形態に係るモバイル端末の概略構造図を示す。
【図１０】本発明の一実施形態に係るモバイル端末の概略構造図を示す。
【発明を実施するための形態】
【００４８】
本発明の特定の実施形態は、前述の添付図面を使用して示されており、より詳細な説明が以下に提供される。これらの添付の図面および文字での説明は、いかなる方法においても本発明の概念の範囲を限定するものではなく、特定の実施形態を参照して当業者にとって本発明の概念を説明することを意図するものである。
【００４９】
以下で、本発明の実施形態における添付の図面に関連して、本発明の実施形態における技術的解決策を明確かつ十分に説明する。明らかに、説明される実施形態は本発明の実施形態の全部ではなく一部であるにすぎない。本発明の実施形態に基づいて当業者により難なく得られる他のすべての実施形態は、本発明の保護範囲内に含まれるものとする。
【００５０】
本発明を完全に理解するために、以下の詳細な説明には多くの具体的な詳細が記載されているが、当業者は、本発明がこれらの具体的な詳細なしに実施され得ることを理解すべきである。他の実施形態において、周知の方法、プロセス、構成要素、および回路の詳細な説明は省略し、実施形態は不必要に曖昧にすることなく説明する。
【００５１】
本発明の実施形態は、他のユーザに容易に認識されることなく、モバイル端末のユーザプライバシーを保護するためのモバイル端末のプライバシー保護方法および保護装置、並びにモバイル端末を提供する。
【００５２】
図1は、本発明の一実施形態に係るモバイル端末のプライバシー保護方法のフローチャートを示す。図1に示すように、本方法は以下のステップを含む。
【００５３】
ステップ101：アプリケーション起動命令を取得する。
【００５４】
モバイル端末内のアプリケーションユニットはまた、アルバム、ショート・メッセージ・サービス、および通話記録などのアプリケーション（アプリケーション、略してAPP）とも称されることがある。アプリケーションを起動するには、ユーザはアプリケーションアイコンにタッチしてもよく、アプリケーションアイコンがタッチされた後、アプリケーション起動命令が生成される。
【００５５】
ステップ102：アプリケーション起動命令に従って、ユーザの生体特徴を能動的に取得する。
【００５６】
具体的には、生体特徴を能動的に取得する実施方法では、ユーザに促す必要はなく、ユーザの許可なくユーザの生体特徴を取得することができ、ユーザの生体特徴の入力命令が取得されないときに、ユーザの生体特徴を取得することができる。能動的に取得する方法は比較的目立ちにくく、ユーザに容易に認識されない。
【００５７】
ステップ103：ユーザの取得された生体特徴が予め設定された生体特徴と一致する場合、対応するアプリケーションの暗号化コンテンツリストおよび非暗号化コンテンツリストを表示する。
【００５８】
アプリケーションの暗号化コンテンツリストは、アプリケーション内の暗号化コンテンツに従って生成され、アプリケーションの非暗号化コンテンツリストは、アプリケーション内の非暗号化コンテンツに従って生成され、アプリケーション内の暗号化コンテンツは、ユーザの取得された生体特徴が、予め設定された生体特徴と一致しない場合に提示されないコンテンツである。要約すると、暗号化コンテンツは、ユーザが他のユーザに見せたくないコンテンツであってもよく、パスワードが設定されていてもよい。
【００５９】
ユーザは、アプリケーションユニット内の特定のコンテンツを、暗号化状態または非暗号化状態を含み得る状態に設定してもよい。暗号化コンテンツは、ユーザが他のユーザに見せたくないコンテンツである。例えば、アルバム内の写真の場合、ユーザは、他のユーザに見てほしくない写真にパスワードを設定してもよい。
【００６０】
ユーザの取得された生体特徴が予め設定された生体特徴と一致しない場合、提示されないコンテンツは少なくとも1つの要素を含む。要素は、テキスト、画像、ビデオなどであってもよい。一般に、1つの要素は1つのエントリの形態で提示される。暗号化コンテンツリストは、暗号化コンテンツをリストの形態で提示してもよい。
【００６１】
本発明の本実施形態において、リストは広義で理解され得る。異なるアプリケーションの場合、コンテンツリストは、異なる形態であってもよく、ストリップリストまたはブロックリストであってもよい。例えば、アプリケーションがショート・メッセージ・サービスまたはインスタント・メッセージ・プログラムである場合、コンテンツリストは、図2に示すストリップ・ショート・メッセージ・サービス・メッセージ・リストのような、送信者の電話番号リストであってもよく、図2に示すリストは単に電話番号または送信者の名前を表示する。アプリケーションがアルバムの場合、コンテンツリストは図3に示す写真のブロックサムネイルリストであってもよく、図3の301と302の両方は写真サムネイルである。アプリケーションが音声録音ソフトウェアまたは音楽再生ソフトウェアである場合、コンテンツリストはファイル名リストであってもよい。
【００６２】
本発明の本実施形態に係る方法では、アプリケーション起動命令が受信された後、ユーザの生体特徴が能動的に取得され、取得された生体特徴と予め設定された生体特徴との照合の結果、機密コンテンツおよび非暗号化コンテンツが表示される場合、モバイル端末におけるユーザプライバシーの漏洩を回避することができ、ユーザプライバシーが保護される。さらに、生体特徴を能動的に取得する方法は、ユーザに容易に認識され得ない。
【００６３】
本発明の一実施形態において、ステップ103の後、およびユーザの生体特徴を能動的に取得するステップの後に、本方法は、
ユーザの生体特徴が取得されない場合、アプリケーションの非暗号化コンテンツリストを表示するステップ、または
ユーザの取得された生体特徴が予め設定された生体特徴と一致しない場合、アプリケーションの非暗号化コンテンツリストを表示するステップ
をさらに含む。
【００６４】
本発明の一実施形態において、ユーザの生体特徴を能動的に取得するステップは、
ユーザの顔特徴を能動的に取得するステップ、または
ユーザの目の虹彩特徴を能動的に取得するステップ、または
ユーザの指紋を能動的に取得するステップ
を含む。
【００６５】
指紋は2つの方法で取得することができる。1つは特殊な指紋取得装置を用いて指紋を取得する方法であり、もう1つはモバイル端末の画面を用いて指紋を取得する方法である。モバイル端末の指紋取得装置の位置は、モバイル端末の異なるモデルによって変わる。例えば、iphoneの指紋取得部はhomeキーであり、huaweiの携帯電話の指紋取得部は携帯電話の背面にある。
【００６６】
いくつかのモデルの携帯電話の画面は、画面指紋取得装置とみなされてもよく、ユーザの指紋は、モバイル端末の画面上のユーザのタッチによって直接取得されてもよい。画面上のタッチによってユーザの指紋を取得することは、より目立たない。
【００６７】
能動的な取得は、モバイル端末のプライバシーを保護し、起こり得る羞恥を回避するために、所有者以外のユーザが、生体特徴が取得されて、その後の検証に使用されることを認識するのを防ぐことができる。
【００６８】
本発明の他の実施形態において、生体特徴取得部は、ユーザの音声を取得するように構成された、音声取得部であってもよい。
【００６９】
本発明の他の実施形態において、アプリケーションの非暗号化コンテンツリストを表示するステップの後に、本方法は、
モバイル端末のタッチ画面を使用して、非暗号化コンテンツリストを操作する際にユーザによって入力された指紋を能動的に取得するステップと、
能動的に取得された指紋が予め設定された生体特徴と一致する場合、アプリケーションの暗号化コンテンツリストおよび非暗号化コンテンツリストを表示するステップと
をさらに含む。
【００７０】
アプリケーションの起動時に所有者がカメラに直面していない場合、または光の問題や距離の問題がある場合、カメラで取得された顔特徴または虹彩特徴がぼやけたり歪んだりすることがあり、または能動的に取得された指紋がぼやける。したがって、その後の照合はほとんど成功し得ず、その結果、所有者はすべての所望の情報をほとんど得ることができない。本発明の本実施形態において、上述の問題により非暗号化コンテンツリストが表示された後、誤った判断によって所有者にもたらされる不都合を回避するために、非暗号化コンテンツリストのエントリが選択されると、ユーザの指紋は、モバイル端末の画面上のユーザのタッチによって能動的に取得される。
【００７１】
本発明の一実施形態において、アプリケーションの暗号化コンテンツリストおよび非暗号化コンテンツリストを表示するステップの後に、本方法は、
暗号化コンテンツリストの第1のエントリを開くためにユーザによって入力された、第1の命令を取得するステップと、
第1の命令に従って、第1のエントリに対応するコンテンツを提示するステップと、
第1の命令に従って、ユーザによって入力された生体特徴を取得するステップと、
ユーザによって入力された生体特徴が予め設定された生体特徴と一致する場合、第1のエントリを非暗号化状態に設定するステップと
をさらに含む。
【００７２】
本発明の他の実施形態において、アプリケーションの暗号化コンテンツリストおよび非暗号化コンテンツリストを表示するステップの後に、本方法は、
非暗号化コンテンツリストの第2のエントリを開くためにユーザによって入力された、第2の命令を取得するステップと、
第2の命令に従って、第2のエントリに対応するコンテンツを提示するステップと、
第2の命令に従って、ユーザによって入力された生体特徴を取得するステップと、
ユーザによって入力された生体特徴が予め設定された生体特徴と一致する場合、第2のエントリを暗号化状態に設定するステップと
をさらに含む。
【００７３】
暗号化コンテンツおよび非暗号化コンテンツを視聴した後、リスト内のエントリを選択するとき、所有者は、生体特徴を能動的に入力することによって選択されたエントリの状態を変更してもよい、すなわち暗号化コンテンツを非暗号化コンテンツに設定してもよく、または非暗号化コンテンツを暗号化コンテンツに設定してもよい。例えば、ユーザは、プライバシーコンテンツリスト内の写真を開き、ユーザが写真を見ると、再び指でhomeキーをタッチして、指紋採取コマンドを能動的にトリガしたり、または、画面をタッチし、短時間の間、画面を保持して、画面指紋採取コマンドを能動的にトリガする。指紋照合が成功した後、写真の状態は切り替えられてもよく、写真が暗号化されている場合は、写真の状態は非暗号化状態に切り替えられてもよく、写真が暗号化されていない場合は、写真の状態は暗号化状態に切り替えられてもよい。本実施形態において、生体特徴取得コマンドを能動的にトリガすることによってアプリケーションコンテンツの暗号化状態または非暗号化状態を切り替える方法は、簡便で、効率的で、比較的目立たなく、他のユーザに容易に認識されない。
【００７４】
本発明の一実施形態において、アプリケーション起動命令を受信するステップの前に、本方法は、
ロック画面インタフェース上にユーザによって入力されたロック解除命令を取得するステップと、
ロック解除命令に従ってユーザの生体特徴を能動的に取得するステップと、
ユーザの取得された生体特徴が予め設定された生体特徴と一致する場合、暗号化アプリケーションアイコンおよび非暗号化アプリケーションアイコンを表示するステップと
をさらに含む。
【００７５】
暗号化アプリケーションアイコンは、ユーザの取得された生体特徴が予め設定された生体特徴と一致しない場合に提示されないアプリケーションアイコンである。
【００７６】
ロック解除命令に従ってユーザの生体特徴を能動的に取得するステップの後に、本方法は、
ユーザの生体特徴が取得されない場合、非暗号化アプリケーションアイコンを表示するステップ、または
ユーザの取得された生体特徴が予め設定された生体特徴と一致しない場合、非暗号化アプリケーションアイコンを表示するステップ
をさらに含む。
【００７７】
本発明の一実施形態において、アプリケーション起動命令に従ってユーザの生体特徴を能動的に取得するステップは、
モバイル端末が位置する地理的位置および環境に関する情報を取得するステップと、
モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するステップと
をさらに含む。
【００７８】
一般に、ユーザは、モバイル端末におけるアプリケーションのアイコンをタッチしてアプリケーションを起動する。本実施形態に係る方法では、ロック解除命令が受信された後、ユーザの生体特徴が能動的に取得され、生体特徴が取得されたか否かと、取得された生体特徴と予め設定された生体特徴の照合状態とに応じて、異なるアプリケーションアイコンが表示される。所有者が他のユーザに見せたくないまたは使用してほしくないアプリケーションを隠すことができ、モバイル端末におけるユーザプライバシーの漏洩をさらに回避して、ユーザプライバシーを保護することができる。さらに、能動的に取得する方法は、ユーザに容易に認識され得ない。
【００７９】
図4は、本発明の一実施形態に係るモバイル端末のプライバシー保護方法のフローチャートを示す。図4に示すように、本方法は以下のステップを含む。
【００８０】
ステップ401：ロック画面インタフェース上にユーザによって入力されたロック解除命令を取得する。
【００８１】
ステップ402：ロック解除命令に従って、ユーザの生体特徴を能動的に取得する。
【００８２】
ステップ403：ユーザの取得された生体特徴が予め設定された生体特徴と一致する場合、ロック解除された第1のインタフェースを提示し、ここで、第1のインタフェースのインタフェース要素は、暗号化アプリケーションアイコンおよび非暗号化アプリケーションアイコンを含む。
【００８３】
暗号化アプリケーションアイコンは、ユーザの取得された生体特徴が予め設定された生体特徴と一致しない場合に提示されないアプリケーションアイコンである。
【００８４】
ユーザの取得された生体特徴が予め設定された生体特徴と一致しない場合、ロック解除された第2のインタフェースが提示される。第2のインタフェースのインタフェース要素は、非暗号化アプリケーションアイコンを含む。
【００８５】
一般に、ユーザは、モバイル端末におけるアプリケーションのアイコンをタッチしてアプリケーションを起動する。本実施形態に係る方法では、ロック解除命令が受信された後、ユーザの生体特徴が能動的に取得され、生体特徴が取得されたか否かと、取得された生体特徴と予め設定された生体特徴の照合状態とに従って、異なるインタフェースが表示され、異なるアプリケーションアイコンが異なるインタフェース上に表示される。所有者が他のユーザに見せたくないまたは使用してほしくないアプリケーションを隠すことができ、モバイル端末におけるユーザプライバシーの漏洩をさらに回避して、ユーザプライバシーを保護することができる。さらに、能動的に取得する方法は、ユーザに容易に認識され得ない。
【００８６】
本発明の一実施形態において、ロック解除命令に従ってユーザの生体特徴を能動的に取得するステップは、
モバイル端末が位置する地理的位置および環境に関する情報を取得するステップと、
モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するステップと
をさらに含む。
【００８７】
ユーザプライバシーをさらに保護するために、表示されるコンテンツは、モバイル端末の地理的位置情報および環境情報に従って決定され得る。環境情報は、温度、湿度、高度などを含んでもよい。
【００８８】
図5は、本発明の一実施形態に係るモバイル端末のプライバシー保護方法のフローチャートを示す。図5に示す方法は、指紋採取を例に説明する。図5に示すように、本方法は以下のステップを含む。
【００８９】
ステップ501：ロック画面インタフェース上にユーザによって入力されたロック解除命令を取得する。
【００９０】
ステップ502：ロック解除命令に従って、画面上のユーザのタッチにより、ユーザの指紋を能動的に取得する。
【００９１】
ステップ503：指紋が取得されたかどうかを判定し、指紋が取得されない場合、ステップ504を実行し、指紋が取得されない場合、ステップ505を実行する。
【００９２】
ステップ504：非暗号化コンテンツリストを表示し、ステップ507を実行する。
【００９３】
図3に示す本発明の一実施形態に係る非暗号化コンテンツリストを表示する模式図を参照すると、図3に示すアプリケーションシナリオはアルバムを例として使用する。図3に示すように、非暗号化コンテンツは、ユーザ設定に従って2つの写真301および302のみを含む。
【００９４】
ステップ505：取得された指紋が保存された指紋と一致するかどうかを判定し、取得された指紋が保存された指紋と一致する場合、ステップ506を実行し、取得された指紋が保存された指紋と一致しない場合、ステップ507を実行する。
【００９５】
ステップ506：暗号化コンテンツリストと非暗号化コンテンツリストを表示する。
【００９６】
図6は、本発明の一実施形態に係る、暗号化コンテンツリストおよび非暗号化コンテンツリストを表示する模式図を示す。図6に示されるアプリケーションシナリオは、図3に示されるシナリオと同じである。図6に示すように、ユーザ設定によれば、暗号化されていない写真は301および302であり、暗号化された写真は303,304などである。
【００９７】
ステップ507：非暗号化リストからユーザによる写真サムネイルの選択を受信し、画面上のユーザのタッチにより能動的に指紋を取得し、ステップ503を実行する。
【００９８】
本発明の本実施形態に係るモバイル端末のプライバシー保護方法は、ユーザに容易に認識されることなくモバイル端末のプライバシーを保護することができる。
【００９９】
図7は、本発明の一実施形態に係るモバイル端末のプライバシー保護装置の概略構造図を示す。図7に示すように、本装置は、
アプリケーション起動命令を取得するように構成された、命令取得部701と、
アプリケーション起動命令に従ってユーザの生体特徴を能動的に取得するように構成された、生体特徴取得部702と、
ユーザの取得された生体特徴が予め設定された生体特徴と一致する場合、対応するアプリケーションの暗号化コンテンツリストおよび非暗号化コンテンツリストを表示するように構成された、表示部703と
を含む。
【０１００】
アプリケーションの暗号化コンテンツリストは、アプリケーション内の暗号化コンテンツに従って生成され、アプリケーションの非暗号化コンテンツリストは、アプリケーション内の非暗号化コンテンツに従って生成され、アプリケーション内の暗号化コンテンツは、ユーザの取得された生体特徴が、予め設定された生体特徴と一致しない場合に提示されないコンテンツである。
【０１０１】
表示部703は、ユーザの生体特徴が取得されない場合、アプリケーションの非暗号化コンテンツリストを表示するようにさらに構成され、または
表示部703は、ユーザの取得された生体特徴が予め設定された生体特徴と一致しない場
合、アプリケーションの非暗号化コンテンツリストを表示するようにさらに構成される。
【０１０２】
本発明の一実施形態において、生体特徴取得部702は、ユーザの顔特徴を能動的に取得するように構成された、撮影サブユニットを含み、または
生体特徴取得部702は、ユーザの目の虹彩特徴を能動的に取得するように構成された、撮影サブユニットを含み、または
生体特徴取得部702は、ユーザの指紋を能動的に取得するように構成された、指紋取得サブユニットを含む。
【０１０３】
本発明の一実施形態において、指紋取得サブユニット702は、非暗号化コンテンツリストの操作時に、モバイル端末のタッチ画面を使用して、ユーザによって入力された指紋を能動的に取得するようにさらに構成される。
【０１０４】
表示部703は、能動的に取得された指紋が予め設定された生体特徴と一致する場合、アプリケーションの暗号化コンテンツリストを表示するようにさらに構成される。
【０１０５】
本発明の一実施形態において、命令取得部701は、暗号化コンテンツリストの第1のエントリを開くためにユーザによって入力された第1の命令を取得するようにさらに構成される。
【０１０６】
表示部703は、第1の命令に従って、第1のエントリに対応するコンテンツを提示するようにさらに構成される。
【０１０７】
生体特徴取得部702は、第1の命令に従って、ユーザによって入力された生体特徴を取得するようにさらに構成される。
【０１０８】
本装置は、ユーザによって入力された生体特徴が予め設定された生体特徴と一致する場合、第1のエントリを非暗号化状態に設定するように構成された、設定部をさらに含む。
【０１０９】
命令取得部701は、非暗号化コンテンツリスト内の第2のエントリを開くためにユーザによって入力された第2の命令を取得するようにさらに構成される。
【０１１０】
表示部703は、第2の命令に従って、第2のエントリに対応するコンテンツを提示するようにさらに構成される。
【０１１１】
生体特徴取得部702は、第2の命令に従って、ユーザによって入力された生体特徴を取得するようにさらに構成される。
【０１１２】
設定部703は、ユーザによって入力された生体特徴が予め設定された生体特徴と一致する場合、第2のエントリを暗号化状態に設定するようにさらに構成される。
【０１１３】
本発明の一実施形態において、命令取得部701は、ロック画面インタフェース上でユーザによって入力されたロック解除命令を取得するようにさらに構成される。
【０１１４】
生体特徴取得部702は、ロック解除命令に従ってユーザの生体特徴を能動的に取得するようにさらに構成される。
【０１１５】
表示部703は、ユーザの取得された生体特徴が予め設定された生体特徴と一致する場合、暗号化アプリケーションアイコンおよび非暗号化アプリケーションアイコンを表示するようにさらに構成される。
【０１１６】
暗号化アプリケーションアイコンは、ユーザの取得された生体特徴が予め設定された生体特徴と一致しない場合に提示されないアプリケーションアイコンである。
【０１１７】
表示部703は、ユーザの生体特徴が取得されない場合、非暗号化アプリケーションアイコンを表示するようにさらに構成され、または
表示部703は、ユーザの取得された生体特徴が予め設定された生体特徴と一致しない場合、非暗号化アプリケーションアイコンを表示するようにさらに構成される。
【０１１８】
本装置は、
モバイル端末が位置する地理的位置および環境に関する情報を取得するように構成された、地理的位置および環境情報取得部をさらに含む。
【０１１９】
生体特徴取得部は、モバイル端末が位置する地理的位置に関する情報が予め設定された地理的位置情報と一致する場合、および／または環境情報が予め設定された環境情報と一致する場合、アプリケーション起動命令に従ってユーザの生体特徴を能動的に取得するようにさらに構成される。
【０１２０】
地理的位置情報および環境情報を取得することは、本発明の本実施形態のセキュリティをさらに改善することができる。
【０１２１】
図8は、本発明の一実施形態に係るモバイル端末の保護装置の概略構造図を示す。図8に示すように、本装置は、
ロック画面インタフェース上でユーザによって入力されたロック解除命令を取得するように構成された、命令取得部801と、
ロック解除命令に従ってユーザの生体特徴を能動的に取得するように構成された、生体特徴取得部802と、
ユーザの取得された生体特徴が予め設定された生体特徴と一致する場合、ロック解除された第1のインタフェースを提示するように構成された、表示部803であって、第1のインタフェースのインタフェース要素は、暗号化アプリケーションアイコンおよび非暗号化アプリケーションアイコンを含む、表示部と
を含む。
【０１２２】
暗号化アプリケーションアイコンは、ユーザの取得された生体特徴が予め設定された生体特徴と一致しない場合に提示されないアプリケーションアイコンである。
【０１２３】
表示部803は、ユーザの取得された生体特徴が予め設定された生体特徴と一致しない場合、ロック解除された第2のインタフェースを提示するようにさらに構成される。第2のインタフェースのインタフェース要素は、非暗号化アプリケーションアイコンを含む。
【０１２４】
本発明の一実施形態において、本装置は、
モバイル端末が位置する地理的位置および環境に関する情報を取得するように構成された、地理的位置および環境情報取得部をさらに含む。
【０１２５】
生体特徴取得部は、モバイル端末が位置する地理的位置に関する情報が予め設定された地理的位置情報と一致する場合、および／または環境情報が予め設定された環境情報と一致する場合、アプリケーション起動命令に従ってユーザの生体特徴を能動的に取得するようにさらに構成される。
【０１２６】
本発明の本実施形態に係るモバイル端末のプライバシー保護装置は、羞恥を回避するために、他のユーザに容易に認識されることなくモバイル端末のプライバシーを保護することができる。
【０１２７】
図9は、本発明の一実施形態に係るモバイル端末の概略構造図を示す。図9に示すように、モバイル端末は、
アプリケーション起動命令を取得するように構成された、プロセッサ901と、
アプリケーション起動命令に従ってユーザの生体特徴を能動的に取得するように構成された、入力装置902と、
ユーザの取得された生体特徴が予め設定された生体特徴と一致する場合、対応するアプリケーションの暗号化コンテンツリストおよび非暗号化コンテンツリストを表示するように構成された、出力装置903と
を含む。
【０１２８】
アプリケーションの暗号化コンテンツリストは、アプリケーション内の暗号化コンテンツに従って生成され、アプリケーションの非暗号化コンテンツリストは、アプリケーション内の非暗号化コンテンツに従って生成され、アプリケーション内の暗号化コンテンツは、ユーザの取得された生体特徴が、予め設定された生体特徴と一致しない場合に提示されないコンテンツである。
【０１２９】
本発明の一実施形態において、出力装置902は、ユーザの生体特徴が取得されない場合、アプリケーションの非暗号化コンテンツリストを表示するようにさらに構成され、または
出力装置903は、ユーザの取得された生体特徴が予め設定された生体特徴と一致しない場合、アプリケーションの非暗号化コンテンツリストを表示するようにさらに構成される。
【０１３０】
本発明の一実施形態において、入力装置902は、ユーザの顔特徴を能動的に取得するようにさらに構成され、または
入力装置902は、ユーザの目の虹彩特徴を能動的に取得するようにさらに構成され、または
入力装置902は、ユーザの指紋を能動的に取得するようにさらに構成される。
【０１３１】
本発明の一実施形態において、入力装置902は、非暗号化コンテンツリストの操作時に、モバイル端末のタッチ画面を使用して、ユーザによって入力された指紋を能動的に取得するようにさらに構成される。
【０１３２】
出力装置903は、能動的に取得された指紋が予め設定された生体特徴と一致する場合、アプリケーションの暗号化コンテンツリストを表示するようにさらに構成される。
【０１３３】
本発明の一実施形態において、プロセッサ901は、暗号化コンテンツリストの第1のエントリを開くためにユーザによって入力された第1の命令を取得するようにさらに構成される。
【０１３４】
出力装置903は、第1の命令に従って、第1のエントリに対応するコンテンツを提示するようにさらに構成される。
【０１３５】
入力装置902は、第1の命令に従って、ユーザによって入力された生体特徴を取得するようにさらに構成される。
【０１３６】
プロセッサ901は、ユーザによって入力された生体特徴が予め設定された生体特徴と一致する場合、第1のエントリを非暗号化状態に設定するようにさらに構成される。
【０１３７】
プロセッサ901は、非暗号化コンテンツリスト内の第2のエントリを開くためにユーザによって入力された第2の命令を取得するようにさらに構成される。
【０１３８】
出力装置903は、第2の命令に従って、第2のエントリに対応するコンテンツを提示するようにさらに構成される。
【０１３９】
入力装置902は、第2の命令に従って、ユーザによって入力された生体特徴を取得するようにさらに構成される。
【０１４０】
プロセッサ901は、ユーザによって入力された生体特徴が予め設定された生体特徴と一致する場合、第2のエントリを暗号化状態に設定するようにさらに構成される。
【０１４１】
本発明の一実施形態において、プロセッサは、ロック画面インタフェース上でユーザによって入力されたロック解除命令を取得するようにさらに構成される。
【０１４２】
入力装置902は、ロック解除命令に従ってユーザの生体特徴を能動的に取得するようにさらに構成される。
【０１４３】
出力装置903は、ユーザの取得された生体特徴が予め設定された生体特徴と一致する場合、暗号化アプリケーションアイコンおよび非暗号化アプリケーションアイコンを表示するようにさらに構成される。
【０１４４】
暗号化アプリケーションアイコンは、ユーザの取得された生体特徴が予め設定された生体特徴と一致しない場合に提示されないアプリケーションアイコンである。
【０１４５】
本発明の一実施形態において、出力装置903は、ユーザの生体特徴が取得されない場合、非暗号化アプリケーションアイコンを表示するようにさらに構成され、または
出力装置903は、ユーザの取得された生体特徴が予め設定された生体特徴と一致しない場合、非暗号化アプリケーションアイコンを表示するようにさらに構成される。
【０１４６】
本発明の一実施形態において、入力装置902は、モバイル端末が位置する地理的位置および環境に関する情報を取得するようにさらに構成される。
【０１４７】
入力装置902は、モバイル端末が位置する地理的位置に関する情報が予め設定された地理的位置情報と一致する場合、および／または環境情報が予め設定された環境情報と一致する場合、アプリケーション起動命令に従ってユーザの生体特徴を能動的に取得するようにさらに構成される。
【０１４８】
図10は、本発明の一実施形態に係るモバイル端末の概略構造図を示す。図10に示すように、モバイル端末は、
ロック画面インタフェース上でユーザによって入力されたロック解除命令を取得するように構成された、プロセッサ1001と、
ロック解除命令に従ってユーザの生体特徴を能動的に取得するように構成された、入力装置1002と、
ユーザの取得された生体特徴が予め設定された生体特徴と一致する場合、ロック解除された第1のインタフェースを提示するように構成された、出力装置1003であって、第1のインタフェースのインタフェース要素は、暗号化アプリケーションアイコンおよび非暗号化アプリケーションアイコンを含む、出力装置と
を含む。
【０１４９】
暗号化アプリケーションアイコンは、ユーザの取得された生体特徴が予め設定された生体特徴と一致しない場合に提示されないアプリケーションアイコンである。
【０１５０】
本発明の一実施形態において、出力装置1003は、ユーザの取得された生体特徴が予め設定された生体特徴と一致しない場合、ロック解除された第2のインタフェースを提示するようにさらに構成される。第2のインタフェースのインタフェース要素は、非暗号化アプリケーションアイコンを含む。
【０１５１】
本発明の一実施形態において、入力装置1002は、モバイル端末が位置する地理的位置および環境に関する情報を取得するようにさらに構成される。
【０１５２】
入力装置1002は、モバイル端末が位置する地理的位置に関する情報が予め設定された地理的位置情報と一致する場合、および／または環境情報が予め設定された環境情報と一致する場合、アプリケーション起動命令に従ってユーザの生体特徴を能動的に取得するようにさらに構成される。
【０１５３】
本発明に係るモバイル端末は、羞恥を回避するために、ユーザのプライバシーを保護することができ、プライバシー保護は他のユーザに容易に認識されない。
【０１５４】
本発明の実施形態は、モバイル端末のプライバシー保護方法および装置、並びにモバイル端末を提供する。アプリケーション起動命令が取得され、アプリケーション起動命令に従ってユーザの生体特徴が能動的に取得され、ユーザの取得された生体特徴が予め設定された生体特徴と一致する場合、対応するアプリケーションの暗号化コンテンツリストおよび非暗号化コンテンツリストが表示される。アプリケーションの暗号化コンテンツリストは、アプリケーション内の暗号化コンテンツに従って生成され、アプリケーションの非暗号化コンテンツリストは、アプリケーション内の非暗号化コンテンツに従って生成され、アプリケーション内の暗号化コンテンツは、ユーザの取得された生体特徴が、予め設定された生体特徴と一致しない場合に提示されないコンテンツである。本発明は、不必要な羞恥を回避し、ユーザの使用経験を改善するために、容易に認識されることなく、モバイル端末のプライバシーを保護することができる。
【０１５５】
システムの実施形態は基本的に方法の実施形態に対応する。関連部品に関しては、方法の実施形態の部品を参照することができる。記載されたシステムの実施形態は単なる一例にすぎない。別々の部品として記述されたユニットは物理的に分離している場合もそうではない場合もあり、ユニットとして表された部品は物理的ユニットである場合もそうではない場合もあり、一箇所に位置する場合もあり、複数のネットワークユニット上に分散される場合もある。モジュールの一部または全部を、各実施形態の解決策の目的を達成するための実際の必要に応じて選択することもできる。当業者は、本発明の実施形態を難なく理解し、実現することができる。
【０１５６】
本発明は、コンピュータによって実行される実行可能なコンピュータ命令、例えばプログラムモジュールの一般的な文脈で説明することができる。一般に、プログラムユニットは、特定のタスクを実行するため、または特定の抽象データ型を実装するためのルーチン、プログラム、オブジェクト、コンポーネント、データ構造などを含む。本発明は、通信ネットワークを介して接続されたリモート処理装置によってタスクが実行される分散コンピューティング環境においても実施されてもよい。分散コンピューティング環境では、プログラムモジュールは、記憶装置を含む、ローカルとリモート両方のコンピュータ記憶媒体に配置されてもよい。
【０１５７】
当業者は、方法の各実施形態の各ステップの全部または一部を関連ハードウェアに命令するプログラムによって実現することができることを理解するであろう。プログラムは、ROM、RAM、磁気ディスク、または光ディスクなどのコンピュータ読み取り可能な記憶媒体に格納されてもよい。
【０１５８】
本明細書において、第1や第2といった関係語は、あるエンティティもしくは操作を別のエンティティもしくは操作と区別するために使用されるにすぎず、必ずしも、これらのエンティティ間もしくは操作間に任意の実際の関係もしくは順番が存在することを必要とし、もしくは意味するとは限らないことに留意すべきである。加えて、「include」、「comprise」という用語、またはこれらの任意の他の変形は、非排他的包含を対象とするためのものであり、そのため、要素のリストを含むプロセス、方法、物品、もしくは装置は、それらの要素を含むのみならず、明記されていない他の要素も含み、または、そうしたプロセス、方法、物品、もしくは装置に固有の要素をさらに含むものである。「includes a ...」の後に続く要素は、さらなる制約条件がなければ、当該要素を含むプロセス、方法、物品または装置における追加的な同一の要素の存在を除外するものではない。
【０１５９】
要するに、以上の説明は単に本発明の実施形態の例示にすぎず、本発明の保護範囲を限定するためのものではない。本明細書では、具体例を用いて本発明の原理および実施態様が説明されている。前述の実施形態の説明は、単に、本発明の方法および中核となる思想の理解を助けるためのものにすぎない。加えて、当業者は、本発明の思想に従えば、具体的な実施態様および適用範囲に対して変更を加えることもできる。したがって、本明細書の内容を本発明に対する限定として解釈してはならない。したがって、本明細書の内容を本発明に対する限定として解釈してはならない。本発明の趣旨および原理を逸脱することなくなされるあらゆる改変、等価の置換、または改善は、本発明の保護範囲内に含まれるものである。
【符号の説明】
【０１６０】
301、302  写真
701、801  命令取得部
702、802  生体特徴取得部、指紋取得サブユニット
703、803  表示部
901、1001  プロセッサ
902、1002  入力装置
903、1003  出力装置
【図１】
2020004424.tif 000003
【図２】
2020004424.tif 000004
【図３】
2020004424.tif 000005
【図４】
2020004424.tif 000006
【図５】
2020004424.tif 000007
【図６】
2020004424.tif 000008
【図７】
2020004424.tif 000009
【図８】
2020004424.tif 000010
【図９】
2020004424.tif 000011
【図１０】
2020004424.tif 000012
【手続補正書】
【提出日】令和1年8月9日(2019.8.9)
【手続補正１】
【補正対象書類名】明細書
【補正対象項目名】全文
【補正方法】変更
【補正の内容】
【発明の詳細な説明】
【技術分野】
【０００１】
本開示は、端末分野に関し、特に、モバイル端末のプライバシー保護方法および保護装置、並びにモバイル端末に関する。
【背景技術】
【０００２】
技術と対人コミュニケーションが発展するにつれて、モバイル端末は人々のコミュニケーションにとって重要な手段となっている。モバイル端末は一般的に個人用の物品であるが、対人関係、拒否困難、または礼儀などの理由により、人々はモバイル端末が他の人によって使用されるのを完全に防ぐことができない。ショート・メッセージ・サービス・メッセージ、連絡先、通話記録、写真、およびインスタント・メッセージのメッセージなど、多くの人々のプライバシーがモバイル端末に存在する。人々は、モバイル端末が他の人によって使用される際、プライバシーが保護され得ると期待している。モバイル端末のプライバシー保護の問題を解決するため、プライバシー保護モードがほとんどのモバイル端末に設定され、所有者以外のユーザがプライバシー保護モードでモバイル端末におけるプライバシーを取得することが困難となることを確実にする。
【０００３】
他のアプローチでは、プライバシー保護モードは、複数の方法で実施されてもよい。1つの方法は、モバイル端末がプライバシー保護モードにあるとき、端末内のアプリケーションが開かれたときに仮想データを戻すことである。例えば、プライバシー保護モードでは、開かれたアルバムは空白を表示してもよく、ユーザによって設定された公開写真のみを表示してもよい。この方法の欠点は、戻された仮想データの設定が比較的複雑で面倒であり、多くのアプリケーションがある場合には設定がより面倒であることである。さらに、仮想データ設定が十分現実的でない場合、この方法は他のユーザに容易に認識され、不必要な羞恥を引き起こす。
【０００４】
他の方法は、異なる認証方法を設定することによって異なるモードに入ることである。例えば、プライバシーモードと通常の動作モードは、異なるパスワード、パターン、個人識別番号（PIN）コード、および指紋に対応する。この方法の設定は比較的簡便であるが、この方法において、一般的にユーザはパスワードの入力やパターンの描画、または指紋のスキャンを促されているので、使用されるモードがユーザに容易に認識される。例えば、モバイル端末は、異なるパスワードに従って異なるモードに入るように設定される。一般に、正しいパスワードが入力されると通常モードになり、不正なパスワードが入力されるとプライバシー保護モードに入る。この場合、モバイル端末は、ユーザにパスワードの入力を促し、不正なパスワードを入力するユーザによって、ロック画面を解除することができる。ユーザは、入力されたパスワードが不正なパスワードであるが、ロック画面が解除されていることを知っているので、ユーザはプライバシー保護モードに入ったと認識する。この方法のもう1つの欠点は、ロック画面を解除する場合にのみ認証情報を入力する必要があり、ロック画面の解除後、ユーザがアプリケーションを操作する際にプライバシー保護を実施できないことである。
【０００５】
他のアプローチでは、簡便で効率的であり、さらにユーザに容易に認識されることを回避することができるモバイル端末のプライバシー保護方法がないことが分かる。
【発明の概要】
【０００６】
そこで、本開示の実施形態の目的は、モバイル端末のプライバシーが保護されていること、およびアプリケーションの使用時にはプライバシーが保護されていないことをユーザが容易に認識してしまうという問題を解決するために、モバイル端末のプライバシー保護方法および保護装置、並びにモバイル端末を提供することである。
【課題を解決するための手段】
【０００７】
前述の技術的問題を解決するために、本開示の実施形態は、以下の技術解決策を開示する。
【０００８】
第1の態様によれば、モバイル端末のプライバシー保護方法が提供され、本方法は、
アプリケーション起動命令を取得するステップと、
アプリケーション起動命令に従ってユーザの生体特徴を能動的に取得するステップと、
ユーザの取得された生体特徴が予め設定された生体特徴と一致する場合、対応するアプリケーションの暗号化コンテンツリストおよび非暗号化コンテンツリストを表示するステップと
を含み、
アプリケーションの暗号化コンテンツリストは、アプリケーション内の暗号化コンテンツに従って生成され、アプリケーションの非暗号化コンテンツリストは、アプリケーション内の非暗号化コンテンツに従って生成され、アプリケーション内の暗号化コンテンツは、ユーザの取得された生体特徴が、予め設定された生体特徴と一致しない場合に提示されないコンテンツである。
【０００９】
第1の態様に関連して、第1の態様の第1の可能な実施態様において、ユーザの生体特徴を能動的に取得するステップの後に、本方法は、
ユーザの生体特徴が取得されない場合、アプリケーションの非暗号化コンテンツリストを表示するステップ、または
ユーザの取得された生体特徴が予め設定された生体特徴と一致しない場合、アプリケーションの非暗号化コンテンツリストを表示するステップ
をさらに含む。
【００１０】
第1の態様および第1の態様の第1の可能な実施態様において、第1の態様の第2の可能な実施態様において、ユーザの生体特徴を能動的に取得するステップは、
ユーザの顔特徴を能動的に取得するステップ、または
ユーザの目の虹彩特徴を能動的に取得するステップ、または
ユーザの指紋を能動的に取得するステップ
を含む。
【００１１】
第1の態様の第1の可能な実施態様に関連して、第1の態様の第3の可能な実施態様において、
アプリケーションの非暗号化コンテンツリストを表示するステップの後に、本方法は、
モバイル端末のタッチ画面を使用して、非暗号化コンテンツリストを操作する際にユーザによって入力された指紋を能動的に取得するステップと、
能動的に取得された指紋が予め設定された生体特徴と一致する場合、アプリケーションの暗号化コンテンツリストおよび非暗号化コンテンツリストを表示するステップと
をさらに含む。
【００１２】
第1の態様の第1の可能な実施態様および第1の態様の第3の可能な実施態様に関連して、第1の態様の第4の可能な実施態様において、アプリケーションの暗号化コンテンツリストおよび非暗号化コンテンツリストを表示するステップの後に、本方法は、
暗号化コンテンツリストの第1のエントリを開くためにユーザによって入力された、第1の命令を取得するステップと、
第1の命令に従って、第1のエントリに対応するコンテンツを提示するステップと、
第1の命令に従って、ユーザによって入力された生体特徴を取得するステップと、
ユーザによって入力された生体特徴が予め設定された生体特徴と一致する場合、第1のエントリを非暗号化状態に設定するステップと
をさらに含む。
【００１３】
第1の態様の第1の可能な実施態様および第1の態様の第3の可能な実施態様に関連して、第1の態様の第5の可能な実施態様において、アプリケーションの暗号化コンテンツリストおよび非暗号化コンテンツリストを表示するステップの後に、本方法は、
非暗号化コンテンツリストの第2のエントリを開くためにユーザによって入力された、第2の命令を取得するステップと、
第2の命令に従って、第2のエントリに対応するコンテンツを提示するステップと、
第2の命令に従って、ユーザによって入力された生体特徴を取得するステップと、
ユーザによって入力された生体特徴が予め設定された生体特徴と一致する場合、第2のエントリを暗号化状態に設定するステップと
をさらに含む。
【００１４】
第1の態様の第1の態様から第5の可能な実施態様のいずれか1つに関連して、第1の態様の第6の可能な実施態様において、アプリケーション起動命令を取得するステップの前に、本方法は、
ロック画面インタフェース上にユーザによって入力されたロック解除命令を取得するステップと、
ロック解除命令に従ってユーザの生体特徴を能動的に取得するステップと、
ユーザの取得された生体特徴が予め設定された生体特徴と一致する場合、暗号化アプリケーションアイコンおよび非暗号化アプリケーションアイコンを表示するステップと
をさらに含み、
暗号化アプリケーションアイコンは、ユーザの取得された生体特徴が予め設定された生体特徴と一致しない場合に提示されないアプリケーションアイコンである。
【００１５】
第1の態様に関連して、第1の態様の第7の可能な実施態様において、ロック解除命令に従って、ユーザの生体特徴を能動的に取得するステップの後に、本方法は、
ユーザの生体特徴が取得されない場合、非暗号化アプリケーションアイコンを表示するステップ、または
ユーザの取得された生体特徴が予め設定された生体特徴と一致しない場合、非暗号化アプリケーションアイコンを表示するステップ
をさらに含む。
【００１６】
第1の態様の第1の態様から第7の可能な実施態様のいずれか1つに関連して、第1の態様の第8の可能な実施態様において、アプリケーション起動命令に従ってユーザの生体特徴を能動的に取得するステップは、
モバイル端末が位置する地理的位置および環境に関する情報を取得するステップと、
モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するステップと
をさらに含む。
【００１７】
第2の態様によれば、モバイル端末のプライバシー保護方法が提供され、本方法は、
ロック画面インタフェース上にユーザによって入力されたロック解除命令を取得するステップと、
ロック解除命令に従ってユーザの生体特徴を能動的に取得するステップと、
ユーザの取得された生体特徴が予め設定された生体特徴と一致する場合、ロック解除された第1のインタフェースを提示するステップであって、第1のインタフェースのインタフェース要素は、暗号化アプリケーションアイコンおよび非暗号化アプリケーションアイコンを含む、ステップと
を含み、
暗号化アプリケーションアイコンは、ユーザの取得された生体特徴が予め設定された生体特徴と一致しない場合に提示されないアプリケーションアイコンである。
【００１８】
第2の態様に関連して、第2の態様の第1の可能な実施態様において、ユーザの取得された生体特徴が予め設定された生体特徴と一致しない場合、ロック解除された第2のインタフェースが提示される。第2のインタフェースのインタフェース要素は、非暗号化アプリケーションアイコンを含む。
【００１９】
第2の態様の第2の態様および第1の可能な実施態様に関連して、第2の態様の第2の可能な実施態様において、ロック解除命令に従ってユーザの生体特徴を能動的に取得するステップは、
モバイル端末が位置する地理的位置および環境に関する情報を取得するステップと、
モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するステップと
をさらに含む。
【００２０】
第3の態様によれば、モバイル端末のプライバシー保護装置が提供され、本装置は、
アプリケーション起動命令を取得するように構成された、命令取得部と、
アプリケーション起動命令に従ってユーザの生体特徴を能動的に取得するように構成された、生体特徴取得部と、
ユーザの取得された生体特徴が予め設定された生体特徴と一致する場合、対応するアプリケーションの暗号化コンテンツリストおよび非暗号化コンテンツリストを表示するように構成された、表示部と
を含み、
アプリケーションの暗号化コンテンツリストは、アプリケーション内の暗号化コンテンツに従って生成され、アプリケーションの非暗号化コンテンツリストは、アプリケーション内の非暗号化コンテンツに従って生成され、アプリケーション内の暗号化コンテンツは、ユーザの取得された生体特徴が、予め設定された生体特徴と一致しない場合に提示されないコンテンツである。
【００２１】
第3の態様に関連して、第3の態様の第1の可能な実施態様において、表示部は、ユーザの生体特徴が取得されない場合、アプリケーションの非暗号化コンテンツリストを表示するようにさらに構成され、または
表示部は、ユーザの取得された生体特徴が予め設定された生体特徴と一致しない場合、アプリケーションの非暗号化コンテンツリストを表示するようにさらに構成されている。
【００２２】
第3の態様の第3の態様および第1の可能な実施態様に関連して、第3の態様の第2の可能な実施態様において、生体特徴取得部は、ユーザの顔特徴を能動的に取得するように構成された、撮影サブユニットを含み、または
生体特徴取得部は、ユーザの目の虹彩特徴を能動的に取得するように構成された、撮影サブユニットを含み、または
生体特徴取得部は、ユーザの指紋を能動的に取得するように構成された、指紋取得サブユニットを含む。
【００２３】
第3の態様の第1の可能な実施態様に関連して、第3の態様の第3の可能な実施態様において、指紋取得サブユニットは、モバイル端末のタッチ画面を使用して、非暗号化コンテンツリストを操作する際にユーザによって入力された指紋を能動的に取得するようにさらに構成され、
表示部は、能動的に取得された指紋が予め設定された生体特徴と一致する場合、アプリケーションの暗号化コンテンツリストおよび非暗号化コンテンツリストを表示するようにさらに構成されている。
【００２４】
第3の態様の第1の可能な実施態様および第3の態様の第3の可能な実施態様に関連して、第3の態様の第4の可能な実施態様において、命令取得部は、暗号化コンテンツリストの第1のエントリを開くためにユーザによって入力された、第1の命令を取得するようにさらに構成され、
表示部は、第1の命令に従って、第1のエントリに対応するコンテンツを提示するようにさらに構成され、
生体特徴取得部は、第1の命令に従って、ユーザによって入力された生体特徴を取得するようにさらに構成され、
装置は、ユーザによって入力された生体特徴が予め設定された生体特徴と一致する場合、第1のエントリを非暗号化状態に設定するように構成された、設定部をさらに含む。
【００２５】
第3の態様の第1の可能な実施態様および第3の態様の第3の可能な実施態様に関連して、第3の態様の第5の可能な実施態様において、命令取得部は、非暗号化コンテンツリストの第2のエントリを開くためにユーザによって入力された、第2の命令を取得するようにさらに構成され、
表示部は、第2の命令に従って、第2のエントリに対応するコンテンツを提示するようにさらに構成され、
生体特徴取得部は、第2の命令に従って、ユーザによって入力された生体特徴を取得するようにさらに構成され、
設定部は、ユーザによって入力された生体特徴が予め設定された生体特徴と一致する場合、第2のエントリを暗号化状態に設定するようにさらに構成されている。
【００２６】
第3の態様の第3の態様から第5の可能な実施態様のいずれか1つに関連して、第3の態様の第6の可能な実施態様において、命令取得部は、ロック画面インタフェース上にユーザによって入力されたロック解除命令を取得するようにさらに構成され、
生体特徴取得部は、ロック解除命令に従ってユーザの生体特徴を能動的に取得するようにさらに構成され、
表示部は、ユーザの取得された生体特徴が予め設定された生体特徴と一致する場合、暗号化アプリケーションアイコンおよび非暗号化アプリケーションアイコンを表示するようにさらに構成され、
暗号化アプリケーションアイコンは、ユーザの取得された生体特徴が予め設定された生体特徴と一致しない場合に提示されないアプリケーションアイコンである。
【００２７】
第3の態様に関連して、第3の態様の第7の可能な実施態様において、表示部は、ユーザの生体特徴が取得されない場合、非暗号化アプリケーションアイコンを表示するようにさらに構成され、または
表示部は、ユーザの取得された生体特徴が予め設定された生体特徴と一致しない場合、非暗号化アプリケーションアイコンを表示するようにさらに構成される。
【００２８】
第3の態様の第3の態様から第7の可能な実施態様のいずれか1つに関連して、第3の態様の第8の可能な実施態様において、本装置は、
モバイル端末が位置する地理的位置および環境に関する情報を取得するように構成された、地理的位置および環境情報取得部をさらに含み、
生体特徴取得部は、モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するようにさらに構成されている。
【００２９】
第4の態様によれば、モバイル端末のプライバシー保護装置が提供され、本装置は、
ロック画面インタフェース上にユーザによって入力されたロック解除命令を取得するように構成された、命令取得部と、
ロック解除命令に従ってユーザの生体特徴を能動的に取得するように構成された、生体特徴取得部と、
ユーザの取得された生体特徴が予め設定された生体特徴と一致する場合、ロック解除された第1のインタフェースを提示するように構成された表示部であって、第1のインタフェースのインタフェース要素は、暗号化アプリケーションアイコンおよび非暗号化アプリケーションアイコンを含む、表示部と
を含み、
暗号化アプリケーションアイコンは、ユーザの取得された生体特徴が予め設定された生体特徴と一致しない場合に提示されないアプリケーションアイコンである。
【００３０】
第4の態様に関連して、第4の態様の第1の可能な実施態様において、表示部は、ユーザの取得された生体特徴が予め設定された生体特徴と一致しない場合、ロック解除された第2のインタフェースを提示するようにさらに構成されている。第2のインタフェースのインタフェース要素は、非暗号化アプリケーションアイコンを含む。
【００３１】
第4の態様の第4の態様および第1の可能な実施態様に関連して、第4の態様の第2の可能な実施態様において、本装置は、
モバイル端末が位置する地理的位置および環境に関する情報を取得するように構成された、地理的位置および環境情報取得部をさらに含み、
生体特徴取得部は、モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するようにさらに構成されている。
【００３２】
第5の態様によれば、モバイル端末が提供され、モバイル端末は、
アプリケーション起動命令を取得するように構成された、プロセッサと、
アプリケーション起動命令に従ってユーザの生体特徴を能動的に取得するように構成された、入力装置と、
ユーザの取得された生体特徴が予め設定された生体特徴と一致する場合、対応するアプリケーションの暗号化コンテンツリストおよび非暗号化コンテンツリストを表示するように構成された、出力装置と
を含み、
アプリケーションの暗号化コンテンツリストは、アプリケーション内の暗号化コンテンツに従って生成され、アプリケーションの非暗号化コンテンツリストは、アプリケーション内の非暗号化コンテンツに従って生成され、アプリケーション内の暗号化コンテンツは、ユーザの取得された生体特徴が、予め設定された生体特徴と一致しない場合に提示されないコンテンツである。
【００３３】
第5の態様に関連して、第5の態様の第1の可能な実施態様において、出力装置は、ユーザの生体特徴が取得されない場合、アプリケーションの非暗号化コンテンツリストを表示するようにさらに構成され、または
出力装置は、ユーザの取得された生体特徴が予め設定された生体特徴と一致しない場合、アプリケーションの非暗号化コンテンツリストを表示するようにさらに構成されている。
【００３４】
第5の態様および第5の態様の第1の可能な実施態様に関連して、第5の態様の第2の可能な実施態様において、入力装置は、ユーザの顔特徴を能動的に取得するようにさらに構成され、または
入力装置は、ユーザの目の虹彩特徴を能動的に取得するようにさらに構成され、または
入力装置は、ユーザの指紋を能動的に取得するようにさらに構成されている。
【００３５】
第5の態様の第1の可能な実施態様に関連して、第5の態様の第3の可能な実施態様において、入力装置は、モバイル端末のタッチ画面を使用して、非暗号化コンテンツリストを操作する際にユーザによって入力された指紋を能動的に取得するようにさらに構成され、
出力装置は、能動的に取得された指紋が予め設定された生体特徴と一致する場合、アプリケーションの暗号化コンテンツリストおよび非暗号化コンテンツリストを表示するようにさらに構成されている。
【００３６】
第5の態様の第1の可能な実施態様および第5の態様の第3の可能な実施態様に関連して、第5の態様の第4の可能な実施態様において、プロセッサは、暗号化コンテンツリストの第1のエントリを開くためにユーザによって入力された、第1の命令を取得するようにさらに構成され、
出力装置は、第1の命令に従って、第1のエントリに対応するコンテンツを提示するようにさらに構成され、
入力装置は、第1の命令に従って、ユーザによって入力された生体特徴を取得するようにさらに構成され、
プロセッサは、ユーザによって入力された生体特徴が予め設定された生体特徴と一致する場合、第1のエントリを非暗号化状態に設定するようにさらに構成されている。
【００３７】
第5の態様の第1の可能な実施態様および第5の態様の第3の可能な実施態様に関連して、第5の態様の第5の可能な実施態様において、プロセッサは、非暗号化コンテンツリストの第2のエントリを開くためにユーザによって入力された、第2の命令を取得するようにさらに構成され、
出力装置は、第2の命令に従って、第2のエントリに対応するコンテンツを提示するようにさらに構成され、
入力装置は、第2の命令に従って、ユーザによって入力された生体特徴を取得するようにさらに構成され、
プロセッサは、ユーザによって入力された生体特徴が予め設定された生体特徴と一致する場合、第2のエントリを暗号化状態に設定するようにさらに構成されている。
【００３８】
第5の態様の第5の態様から第5の可能な実施態様のいずれか1つに関連して、第5の態様の第6の可能な実施態様において、プロセッサは、ロック画面インタフェース上にユーザによって入力されたロック解除命令を取得するようにさらに構成され、
入力装置は、ロック解除命令に従ってユーザの生体特徴を能動的に取得するようにさらに構成され、
出力装置は、ユーザの取得された生体特徴が予め設定された生体特徴と一致する場合、暗号化アプリケーションアイコンおよび非暗号化アプリケーションアイコンを表示するようにさらに構成され、
暗号化アプリケーションアイコンは、ユーザの取得された生体特徴が予め設定された生体特徴と一致しない場合に提示されないアプリケーションアイコンである。
【００３９】
第5の態様に関連して、第5の態様の第7の可能な実施態様において、出力装置は、ユーザの生体特徴が取得されない場合、非暗号化アプリケーションアイコンを表示するようにさらに構成され、または
出力装置は、ユーザの取得された生体特徴が予め設定された生体特徴と一致しない場合、非暗号化アプリケーションアイコンを表示するようにさらに構成されている。
【００４０】
第5の態様の第5の態様から第7の可能な実施態様のいずれか1つに関連して、第5の態様の第8の可能な実施態様において、
入力装置は、モバイル端末が位置する地理的位置および環境に関する情報を取得するようにさらに構成され、
入力装置は、モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するようにさらに構成されている。
【００４１】
第6の態様によれば、モバイル端末が提供され、モバイル端末は、
ロック画面インタフェース上にユーザによって入力されたロック解除命令を取得するように構成された、プロセッサと、
ロック解除命令に従ってユーザの生体特徴を能動的に取得するように構成された、入力装置と、
ユーザの取得された生体特徴が予め設定された生体特徴と一致する場合、ロック解除された第1のインタフェースを提示するように構成された出力装置であって、第1のインタフェースのインタフェース要素は、暗号化アプリケーションアイコンおよび非暗号化アプリケーションアイコンを含む、出力装置と
を含み、
暗号化アプリケーションアイコンは、ユーザの取得された生体特徴が予め設定された生体特徴と一致しない場合に提示されないアプリケーションアイコンである。
【００４２】
第6の態様に関連して、第6の態様の第1の可能な実施態様において、出力装置は、ユーザの取得された生体特徴が予め設定された生体特徴と一致しない場合、ロック解除された第2のインタフェースを提示するようにさらに構成されている。第2のインタフェースのインタフェース要素は、非暗号化アプリケーションアイコンを含む。
【００４３】
第6の態様の第6の態様および第1の可能な実施態様に関連して、第6の態様の第2の可能な実施態様において、入力装置は、モバイル端末が位置する地理的位置および環境に関する情報を取得するようにさらに構成され、
入力装置は、モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するようにさらに構成されている。
【００４４】
本開示の実施形態は、モバイル端末のプライバシー保護方法を提供する。モバイル端末におけるユーザプライバシーの漏洩を回避し、ユーザプライバシーを保護するために、アプリケーション起動命令が取得された後、ユーザの生体特徴が能動的に取得され、取得された生体特徴が予め設定された生体特徴と一致する場合、暗号化コンテンツおよび非暗号化コンテンツが表示される。さらに、生体特徴を能動的に取得する方法は、ユーザに容易に認識され得ない。
【００４５】
上記一般的な説明および以下の詳細な説明は単なる例であり、本開示の保護範囲を限定することはできないことを理解されたい。
【００４６】
本開示の実施形態における技術的解決策をより明確に説明するために、以下で、各実施形態を説明するのに必要な添付の図面について簡単に記述する。以下の説明において添付の図面は単に本開示の一部の実施形態を示しているにすぎず、当業者は、これら添付の図面から難なく他の図面をさらに導出することができる。
【図面の簡単な説明】
【００４７】
【図１】本開示の一実施形態に係るモバイル端末のプライバシー保護方法のフローチャートを示す。
【図２】本開示の一実施形態に係るコンテンツリストを表示する模式図を示す。
【図３】本開示の一実施形態に係る非暗号化コンテンツリストを表示する模式図を示す。
【図４】本開示の一実施形態に係るモバイル端末のプライバシー保護方法のフローチャートを示す。
【図５】本開示の一実施形態に係るモバイル端末のプライバシー保護方法のフローチャートを示す。
【図６】本開示の一実施形態に係る、暗号化コンテンツリストおよび非暗号化コンテンツリストを表示する模式図を示す。
【図７】本開示の一実施形態に係るモバイル端末のプライバシー保護装置の概略構造図を示す。
【図８】本開示の一実施形態に係るモバイル端末のプライバシー保護装置の概略構造図を示す。
【図９】本開示の一実施形態に係るモバイル端末の概略構造図を示す。
【図１０】本開示の一実施形態に係るモバイル端末の概略構造図を示す。
【発明を実施するための形態】
【００４８】
本開示の特定の実施形態は、前述の添付図面を使用して示されており、より詳細な説明が以下に提供される。これらの添付の図面および文字での説明は、いかなる方法においても本開示の概念の範囲を限定するものではなく、特定の実施形態を参照して当業者にとって本開示の概念を説明することを意図するものである。
【００４９】
以下で、本開示の実施形態における添付の図面に関連して、本開示の実施形態における技術的解決策を明確に説明する。説明される実施形態は本開示の実施形態の全部ではなく一部であるにすぎない。本開示の実施形態に基づいて当業者により難なく得られる他のすべての実施形態は、本開示の保護範囲内に含まれるものとする。
【００５０】
本開示を完全に理解するために、以下の詳細な説明には多くの具体的な詳細が記載されているが、当業者は、本開示がこれらの具体的な詳細なしに実施され得ることを理解すべきである。他の実施形態において、周知の方法、プロセス、構成要素、および回路の詳細な説明は省略し、実施形態は不必要に曖昧にすることなく説明する。
【００５１】
本開示の実施形態は、他のユーザに容易に認識されることなく、モバイル端末のユーザプライバシーを保護するためのモバイル端末のプライバシー保護方法および保護装置、並びにモバイル端末を提供する。
【００５２】
図1は、本開示の一実施形態に係るモバイル端末のプライバシー保護方法のフローチャートを示す。図1に示すように、本方法は以下のステップを含む。
【００５３】
ステップ101：アプリケーション起動命令を取得する。
【００５４】
モバイル端末内のアプリケーションユニットはまた、アルバム、ショート・メッセージ・サービス、および通話記録などのアプリケーションとも称されることがある。アプリケーションを起動するには、ユーザはアプリケーションアイコンにタッチしてもよく、アプリケーションアイコンがタッチされた後、アプリケーション起動命令が生成される。
【００５５】
ステップ102：アプリケーション起動命令に従って、ユーザの生体特徴を能動的に取得する。
【００５６】
さらに、生体特徴を能動的に取得する実施方法では、ユーザに促す必要はなく、ユーザの許可なくユーザの生体特徴を取得することができ、ユーザの生体特徴の入力命令が取得されないときに、ユーザの生体特徴を取得することができる。能動的に取得する方法は比較的目立ちにくく、ユーザに容易に認識されない。
【００５７】
ステップ103：ユーザの取得された生体特徴が予め設定された生体特徴と一致する場合、対応するアプリケーションの暗号化コンテンツリストおよび非暗号化コンテンツリストを表示する。
【００５８】
アプリケーションの暗号化コンテンツリストは、アプリケーション内の暗号化コンテンツに従って生成され、アプリケーションの非暗号化コンテンツリストは、アプリケーション内の非暗号化コンテンツに従って生成され、アプリケーション内の暗号化コンテンツは、ユーザの取得された生体特徴が、予め設定された生体特徴と一致しない場合に提示されないコンテンツである。要約すると、暗号化コンテンツは、ユーザが他のユーザに見せたくないコンテンツであってもよく、パスワードが設定されていてもよい。
【００５９】
ユーザは、アプリケーションユニット内の特定のコンテンツを、暗号化状態または非暗号化状態を含み得る状態に設定してもよい。暗号化コンテンツは、ユーザが他のユーザに見せたくないコンテンツである。例えば、アルバム内の写真の場合、ユーザは、他のユーザに見てほしくない写真にパスワードを設定してもよい。
【００６０】
ユーザの取得された生体特徴が予め設定された生体特徴と一致しない場合、提示されないコンテンツは少なくとも1つの要素を含む。要素は、テキスト、画像、ビデオなどであってもよい。一般に、1つの要素は1つのエントリの形態で提示される。暗号化コンテンツリストは、暗号化コンテンツをリストの形態で提示してもよい。
【００６１】
本開示の本実施形態において、リストは広義で理解され得る。異なるアプリケーションの場合、コンテンツリストは、異なる形態であってもよく、ストリップリストまたはブロックリストであってもよい。例えば、アプリケーションがショート・メッセージ・サービスまたはインスタント・メッセージ・プログラムである場合、コンテンツリストは、図2に示すストリップ・ショート・メッセージ・サービス・メッセージ・リストのような、送信者の電話番号リストであってもよく、図2に示すリストは単に電話番号または送信者の名前を表示する。アプリケーションがアルバムの場合、コンテンツリストは図3に示す写真のブロックサムネイルリストであってもよく、図3の301と302の両方は写真サムネイルである。アプリケーションが音声録音ソフトウェアまたは音楽再生ソフトウェアである場合、コンテンツリストはファイル名リストであってもよい。
【００６２】
本開示の本実施形態に係る方法では、アプリケーション起動命令が受信された後、ユーザの生体特徴が能動的に取得され、取得された生体特徴と予め設定された生体特徴との照合の結果、機密コンテンツおよび非暗号化コンテンツが表示される場合、モバイル端末におけるユーザプライバシーの漏洩を回避することができ、ユーザプライバシーが保護される。さらに、生体特徴を能動的に取得する方法は、ユーザに容易に認識され得ない。
【００６３】
本開示の一実施形態において、ステップ103の後、およびユーザの生体特徴を能動的に取得するステップの後に、本方法は、
ユーザの生体特徴が取得されない場合、アプリケーションの非暗号化コンテンツリストを表示するステップ、または
ユーザの取得された生体特徴が予め設定された生体特徴と一致しない場合、アプリケーションの非暗号化コンテンツリストを表示するステップ
をさらに含む。
【００６４】
本開示の一実施形態において、ユーザの生体特徴を能動的に取得するステップは、
ユーザの顔特徴を能動的に取得するステップ、または
ユーザの目の虹彩特徴を能動的に取得するステップ、または
ユーザの指紋を能動的に取得するステップ
を含む。
【００６５】
指紋は2つの方法で取得することができる。1つは特殊な指紋取得装置を用いて指紋を取得する方法であり、もう1つはモバイル端末の画面を用いて指紋を取得する方法である。モバイル端末の指紋取得装置の位置は、モバイル端末の異なるモデルによって変わる。例えば、iphoneの指紋取得部はhomeキーであり、huaweiの携帯電話の指紋取得部は携帯電話の背面にある。
【００６６】
いくつかのモデルの携帯電話の画面は、画面指紋取得装置とみなされてもよく、ユーザの指紋は、モバイル端末の画面上のユーザのタッチによって直接取得されてもよい。画面上のタッチによってユーザの指紋を取得することは、より目立たない。
【００６７】
能動的な取得は、モバイル端末のプライバシーを保護し、起こり得る羞恥を回避するために、所有者以外のユーザが、生体特徴が取得されて、その後の検証に使用されることを認識するのを防ぐことができる。
【００６８】
本開示の他の実施形態において、生体特徴取得部は、ユーザの音声を取得するように構成された、音声取得部であってもよい。
【００６９】
本開示の他の実施形態において、アプリケーションの非暗号化コンテンツリストを表示するステップの後に、本方法は、
モバイル端末のタッチ画面を使用して、非暗号化コンテンツリストを操作する際にユーザによって入力された指紋を能動的に取得するステップと、
能動的に取得された指紋が予め設定された生体特徴と一致する場合、アプリケーションの暗号化コンテンツリストおよび非暗号化コンテンツリストを表示するステップと
をさらに含む。
【００７０】
アプリケーションの起動時に所有者がカメラに直面していない場合、または光の問題や距離の問題がある場合、カメラで取得された顔特徴または虹彩特徴がぼやけたり歪んだりすることがあり、または能動的に取得された指紋がぼやける。したがって、その後の照合はほとんど成功し得ず、その結果、所有者はすべての所望の情報をほとんど得ることができない。本開示の本実施形態において、上述の問題により非暗号化コンテンツリストが表示された後、誤った判断によって所有者にもたらされる不都合を回避するために、非暗号化コンテンツリストのエントリが選択されると、ユーザの指紋は、モバイル端末の画面上のユーザのタッチによって能動的に取得される。
【００７１】
本開示の一実施形態において、アプリケーションの暗号化コンテンツリストおよび非暗号化コンテンツリストを表示するステップの後に、本方法は、
暗号化コンテンツリストの第1のエントリを開くためにユーザによって入力された、第1の命令を取得するステップと、
第1の命令に従って、第1のエントリに対応するコンテンツを提示するステップと、
第1の命令に従って、ユーザによって入力された生体特徴を取得するステップと、
ユーザによって入力された生体特徴が予め設定された生体特徴と一致する場合、第1のエントリを非暗号化状態に設定するステップと
をさらに含む。
【００７２】
本開示の他の実施形態において、アプリケーションの暗号化コンテンツリストおよび非暗号化コンテンツリストを表示するステップの後に、本方法は、
非暗号化コンテンツリストの第2のエントリを開くためにユーザによって入力された、第2の命令を取得するステップと、
第2の命令に従って、第2のエントリに対応するコンテンツを提示するステップと、
第2の命令に従って、ユーザによって入力された生体特徴を取得するステップと、
ユーザによって入力された生体特徴が予め設定された生体特徴と一致する場合、第2のエントリを暗号化状態に設定するステップと
をさらに含む。
【００７３】
暗号化コンテンツおよび非暗号化コンテンツを視聴した後、リスト内のエントリを選択するとき、所有者は、生体特徴を能動的に入力することによって選択されたエントリの状態を変更してもよい、すなわち暗号化コンテンツを非暗号化コンテンツに設定してもよく、または非暗号化コンテンツを暗号化コンテンツに設定してもよい。例えば、ユーザは、プライバシーコンテンツリスト内の写真を開き、ユーザが写真を見ると、再び指でhomeキーをタッチして、指紋採取コマンドを能動的にトリガしたり、または、画面をタッチし、短時間の間、画面を保持して、画面指紋採取コマンドを能動的にトリガする。指紋照合が成功した後、写真の状態は切り替えられてもよく、写真が暗号化されている場合は、写真の状態は非暗号化状態に切り替えられてもよく、写真が暗号化されていない場合は、写真の状態は暗号化状態に切り替えられてもよい。本実施形態において、生体特徴取得コマンドを能動的にトリガすることによってアプリケーションコンテンツの暗号化状態または非暗号化状態を切り替える方法は、簡便で、効率的で、比較的目立たなく、他のユーザに容易に認識されない。
【００７４】
本開示の一実施形態において、アプリケーション起動命令を受信するステップの前に、本方法は、
ロック画面インタフェース上にユーザによって入力されたロック解除命令を取得するステップと、
ロック解除命令に従ってユーザの生体特徴を能動的に取得するステップと、
ユーザの取得された生体特徴が予め設定された生体特徴と一致する場合、暗号化アプリケーションアイコンおよび非暗号化アプリケーションアイコンを表示するステップと
をさらに含む。
【００７５】
暗号化アプリケーションアイコンは、ユーザの取得された生体特徴が予め設定された生体特徴と一致しない場合に提示されないアプリケーションアイコンである。
【００７６】
ロック解除命令に従ってユーザの生体特徴を能動的に取得するステップの後に、本方法は、
ユーザの生体特徴が取得されない場合、非暗号化アプリケーションアイコンを表示するステップ、または
ユーザの取得された生体特徴が予め設定された生体特徴と一致しない場合、非暗号化アプリケーションアイコンを表示するステップ
をさらに含む。
【００７７】
本開示の一実施形態において、アプリケーション起動命令に従ってユーザの生体特徴を能動的に取得するステップは、
モバイル端末が位置する地理的位置および環境に関する情報を取得するステップと、
モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するステップと
をさらに含む。
【００７８】
一般に、ユーザは、モバイル端末におけるアプリケーションのアイコンをタッチしてアプリケーションを起動する。本実施形態に係る方法では、ロック解除命令が受信された後、ユーザの生体特徴が能動的に取得され、生体特徴が取得されたか否かと、取得された生体特徴と予め設定された生体特徴の照合状態とに応じて、異なるアプリケーションアイコンが表示される。所有者が他のユーザに見せたくないまたは使用してほしくないアプリケーションを隠すことができ、モバイル端末におけるユーザプライバシーの漏洩をさらに回避して、ユーザプライバシーを保護することができる。さらに、能動的に取得する方法は、ユーザに容易に認識され得ない。
【００７９】
図4は、本開示の一実施形態に係るモバイル端末のプライバシー保護方法のフローチャートを示す。図4に示すように、本方法は以下のステップを含む。
【００８０】
ステップ401：ロック画面インタフェース上にユーザによって入力されたロック解除命令を取得する。
【００８１】
ステップ402：ロック解除命令に従って、ユーザの生体特徴を能動的に取得する。
【００８２】
ステップ403：ユーザの取得された生体特徴が予め設定された生体特徴と一致する場合、ロック解除された第1のインタフェースを提示し、ここで、第1のインタフェースのインタフェース要素は、暗号化アプリケーションアイコンおよび非暗号化アプリケーションアイコンを含む。
【００８３】
暗号化アプリケーションアイコンは、ユーザの取得された生体特徴が予め設定された生体特徴と一致しない場合に提示されないアプリケーションアイコンである。
【００８４】
ユーザの取得された生体特徴が予め設定された生体特徴と一致しない場合、ロック解除された第2のインタフェースが提示される。第2のインタフェースのインタフェース要素は、非暗号化アプリケーションアイコンを含む。
【００８５】
一般に、ユーザは、モバイル端末におけるアプリケーションのアイコンをタッチしてアプリケーションを起動する。本実施形態に係る方法では、ロック解除命令が受信された後、ユーザの生体特徴が能動的に取得され、生体特徴が取得されたか否かと、取得された生体特徴と予め設定された生体特徴の照合状態とに従って、異なるインタフェースが表示され、異なるアプリケーションアイコンが異なるインタフェース上に表示される。所有者が他のユーザに見せたくないまたは使用してほしくないアプリケーションを隠すことができ、モバイル端末におけるユーザプライバシーの漏洩をさらに回避して、ユーザプライバシーを保護することができる。さらに、能動的に取得する方法は、ユーザに容易に認識され得ない。
【００８６】
本開示の一実施形態において、ロック解除命令に従ってユーザの生体特徴を能動的に取得するステップは、
モバイル端末が位置する地理的位置および環境に関する情報を取得するステップと、
モバイル端末が位置する地理的位置に関する情報が予め設定された地理的位置情報と一致する場合、および／または、環境情報が予め設定された環境情報と一致する場合、アプリケーション起動命令に従って、ユーザの生体特徴を能動的に取得するステップと
をさらに含む。
【００８７】
ユーザプライバシーをさらに保護するために、表示されるコンテンツは、モバイル端末の地理的位置情報および環境情報に従って決定され得る。環境情報は、温度、湿度、高度などを含んでもよい。
【００８８】
図5は、本開示の一実施形態に係るモバイル端末のプライバシー保護方法のフローチャートを示す。図5に示す方法は、指紋採取を例に説明する。図5に示すように、本方法は以下のステップを含む。
【００８９】
ステップ501：ロック画面インタフェース上にユーザによって入力されたロック解除命令を取得する。
【００９０】
ステップ502：ロック解除命令に従って、画面上のユーザのタッチにより、ユーザの指紋を能動的に取得する。
【００９１】
ステップ503：指紋が取得されたかどうかを判定し、指紋が取得されない場合、ステップ504を実行し、指紋が取得されない場合、ステップ505を実行する。
【００９２】
ステップ504：非暗号化コンテンツリストを表示し、ステップ507を実行する。
【００９３】
図3に示す本開示の一実施形態に係る非暗号化コンテンツリストを表示する模式図を参照すると、図3に示すアプリケーションシナリオはアルバムを例として使用する。図3に示すように、非暗号化コンテンツは、ユーザ設定に従って2つの写真301および302のみを含む。
【００９４】
ステップ505：取得された指紋が保存された指紋と一致するかどうかを判定し、取得された指紋が保存された指紋と一致する場合、ステップ506を実行し、取得された指紋が保存された指紋と一致しない場合、ステップ507を実行する。
【００９５】
ステップ506：暗号化コンテンツリストと非暗号化コンテンツリストを表示する。
【００９６】
図6は、本開示の一実施形態に係る、暗号化コンテンツリストおよび非暗号化コンテンツリストを表示する模式図を示す。図6に示されるアプリケーションシナリオは、図3に示されるシナリオと同じである。図6に示すように、ユーザ設定によれば、暗号化されていない写真は301および302であり、暗号化された写真は303,304などである。
【００９７】
ステップ507：非暗号化リストからユーザによる写真サムネイルの選択を受信し、画面上のユーザのタッチにより能動的に指紋を取得し、ステップ503を実行する。
【００９８】
本開示の本実施形態に係るモバイル端末のプライバシー保護方法は、ユーザに容易に認識されることなくモバイル端末のプライバシーを保護することができる。
【００９９】
図7は、本開示の一実施形態に係るモバイル端末のプライバシー保護装置の概略構造図を示す。図7に示すように、本装置は、
アプリケーション起動命令を取得するように構成された、命令取得部701と、
アプリケーション起動命令に従ってユーザの生体特徴を能動的に取得するように構成された、生体特徴取得部702と、
ユーザの取得された生体特徴が予め設定された生体特徴と一致する場合、対応するアプリケーションの暗号化コンテンツリストおよび非暗号化コンテンツリストを表示するように構成された、表示部703と
を含む。
【０１００】
アプリケーションの暗号化コンテンツリストは、アプリケーション内の暗号化コンテンツに従って生成され、アプリケーションの非暗号化コンテンツリストは、アプリケーション内の非暗号化コンテンツに従って生成され、アプリケーション内の暗号化コンテンツは、ユーザの取得された生体特徴が、予め設定された生体特徴と一致しない場合に提示されないコンテンツである。
【０１０１】
表示部703は、ユーザの生体特徴が取得されない場合、アプリケーションの非暗号化コンテンツリストを表示するようにさらに構成され、または
表示部703は、ユーザの取得された生体特徴が予め設定された生体特徴と一致しない場
合、アプリケーションの非暗号化コンテンツリストを表示するようにさらに構成される。
【０１０２】
本開示の一実施形態において、生体特徴取得部702は、ユーザの顔特徴を能動的に取得するように構成された、撮影サブユニット（図示せず）を含み、または
生体特徴取得部702は、ユーザの目の虹彩特徴を能動的に取得するように構成された、撮影サブユニット（図示せず）を含み、または
生体特徴取得部702は、ユーザの指紋を能動的に取得するように構成された、指紋取得サブユニット（図示せず）を含む。
【０１０３】
本開示の一実施形態において、指紋取得サブユニットは、非暗号化コンテンツリストの操作時に、モバイル端末のタッチ画面を使用して、ユーザによって入力された指紋を能動的に取得するようにさらに構成される。
【０１０４】
表示部703は、能動的に取得された指紋が予め設定された生体特徴と一致する場合、アプリケーションの暗号化コンテンツリストを表示するようにさらに構成される。
【０１０５】
本開示の一実施形態において、命令取得部701は、暗号化コンテンツリストの第1のエントリを開くためにユーザによって入力された第1の命令を取得するようにさらに構成される。
【０１０６】
表示部703は、第1の命令に従って、第1のエントリに対応するコンテンツを提示するようにさらに構成される。
【０１０７】
生体特徴取得部702は、第1の命令に従って、ユーザによって入力された生体特徴を取得するようにさらに構成される。
【０１０８】
本装置は、ユーザによって入力された生体特徴が予め設定された生体特徴と一致する場合、第1のエントリを非暗号化状態に設定するように構成された、設定部（図示せず）をさらに含む。
【０１０９】
命令取得部701は、非暗号化コンテンツリスト内の第2のエントリを開くためにユーザによって入力された第2の命令を取得するようにさらに構成される。
【０１１０】
表示部703は、第2の命令に従って、第2のエントリに対応するコンテンツを提示するようにさらに構成される。
【０１１１】
生体特徴取得部702は、第2の命令に従って、ユーザによって入力された生体特徴を取得するようにさらに構成される。
【０１１２】
表示部703は、ユーザによって入力された生体特徴が予め設定された生体特徴と一致する場合、第2のエントリを暗号化状態に設定するようにさらに構成される。
【０１１３】
本開示の一実施形態において、命令取得部701は、ロック画面インタフェース上でユーザによって入力されたロック解除命令を取得するようにさらに構成される。
【０１１４】
生体特徴取得部702は、ロック解除命令に従ってユーザの生体特徴を能動的に取得するようにさらに構成される。
【０１１５】
表示部703は、ユーザの取得された生体特徴が予め設定された生体特徴と一致する場合、暗号化アプリケーションアイコンおよび非暗号化アプリケーションアイコンを表示するようにさらに構成される。
【０１１６】
暗号化アプリケーションアイコンは、ユーザの取得された生体特徴が予め設定された生体特徴と一致しない場合に提示されないアプリケーションアイコンである。
【０１１７】
表示部703は、ユーザの生体特徴が取得されない場合、非暗号化アプリケーションアイコンを表示するようにさらに構成され、または
表示部703は、ユーザの取得された生体特徴が予め設定された生体特徴と一致しない場合、非暗号化アプリケーションアイコンを表示するようにさらに構成される。
【０１１８】
本装置は、
モバイル端末が位置する地理的位置および環境に関する情報を取得するように構成された、地理的位置および環境情報取得部（図示せず）をさらに含む。
【０１１９】
生体特徴取得部702は、モバイル端末が位置する地理的位置に関する情報が予め設定された地理的位置情報と一致する場合、および／または環境情報が予め設定された環境情報と一致する場合、アプリケーション起動命令に従ってユーザの生体特徴を能動的に取得するようにさらに構成される。
【０１２０】
地理的位置情報および環境情報を取得することは、本開示の本実施形態のセキュリティをさらに改善することができる。
【０１２１】
図8は、本開示の一実施形態に係るモバイル端末の保護装置の概略構造図を示す。図8に示すように、本装置は、
ロック画面インタフェース上でユーザによって入力されたロック解除命令を取得するように構成された、命令取得部801と、
ロック解除命令に従ってユーザの生体特徴を能動的に取得するように構成された、生体特徴取得部802と、
ユーザの取得された生体特徴が予め設定された生体特徴と一致する場合、ロック解除された第1のインタフェースを提示するように構成された、表示部803であって、第1のインタフェースのインタフェース要素は、暗号化アプリケーションアイコンおよび非暗号化アプリケーションアイコンを含む、表示部と
を含む。
【０１２２】
暗号化アプリケーションアイコンは、ユーザの取得された生体特徴が予め設定された生体特徴と一致しない場合に提示されないアプリケーションアイコンである。
【０１２３】
表示部803は、ユーザの取得された生体特徴が予め設定された生体特徴と一致しない場合、ロック解除された第2のインタフェースを提示するようにさらに構成される。第2のインタフェースのインタフェース要素は、非暗号化アプリケーションアイコンを含む。
【０１２４】
本開示の一実施形態において、本装置は、
モバイル端末が位置する地理的位置および環境に関する情報を取得するように構成された、地理的位置および環境情報取得部（図示せず）をさらに含む。
【０１２５】
生体特徴取得部802は、モバイル端末が位置する地理的位置に関する情報が予め設定された地理的位置情報と一致する場合、および／または環境情報が予め設定された環境情報と一致する場合、アプリケーション起動命令に従ってユーザの生体特徴を能動的に取得するようにさらに構成される。
【０１２６】
本開示の本実施形態に係るモバイル端末のプライバシー保護装置は、羞恥を回避するために、他のユーザに容易に認識されることなくモバイル端末のプライバシーを保護することができる。
【０１２７】
図9は、本開示の一実施形態に係るモバイル端末の概略構造図を示す。図9に示すように、モバイル端末は、
アプリケーション起動命令を取得するように構成された、プロセッサ901と、
アプリケーション起動命令に従ってユーザの生体特徴を能動的に取得するように構成された、入力装置902と、
ユーザの取得された生体特徴が予め設定された生体特徴と一致する場合、対応するアプリケーションの暗号化コンテンツリストおよび非暗号化コンテンツリストを表示するように構成された、出力装置903と
を含む。モバイル端末は、メモリとバスをさらに含み、プロセッサ901と、入力装置902と、出力装置903と、メモリは、バスを使用して互いに接続されている。
【０１２８】
アプリケーションの暗号化コンテンツリストは、アプリケーション内の暗号化コンテンツに従って生成され、アプリケーションの非暗号化コンテンツリストは、アプリケーション内の非暗号化コンテンツに従って生成され、アプリケーション内の暗号化コンテンツは、ユーザの取得された生体特徴が、予め設定された生体特徴と一致しない場合に提示されないコンテンツである。
【０１２９】
本開示の一実施形態において、出力装置903は、ユーザの生体特徴が取得されない場合、アプリケーションの非暗号化コンテンツリストを表示するようにさらに構成され、または
出力装置903は、ユーザの取得された生体特徴が予め設定された生体特徴と一致しない場合、アプリケーションの非暗号化コンテンツリストを表示するようにさらに構成される。
【０１３０】
本開示の一実施形態において、入力装置902は、ユーザの顔特徴を能動的に取得するようにさらに構成され、または
入力装置902は、ユーザの目の虹彩特徴を能動的に取得するようにさらに構成され、または
入力装置902は、ユーザの指紋を能動的に取得するようにさらに構成される。
【０１３１】
本開示の一実施形態において、入力装置902は、非暗号化コンテンツリストの操作時に、モバイル端末のタッチ画面（図示せず）を使用して、ユーザによって入力された指紋を能動的に取得するようにさらに構成される。
【０１３２】
出力装置903は、能動的に取得された指紋が予め設定された生体特徴と一致する場合、アプリケーションの暗号化コンテンツリストを表示するようにさらに構成される。
【０１３３】
本開示の一実施形態において、プロセッサ901は、暗号化コンテンツリストの第1のエントリを開くためにユーザによって入力された第1の命令を取得するようにさらに構成される。
【０１３４】
出力装置903は、第1の命令に従って、第1のエントリに対応するコンテンツを提示するようにさらに構成される。
【０１３５】
入力装置902は、第1の命令に従って、ユーザによって入力された生体特徴を取得するようにさらに構成される。
【０１３６】
プロセッサ901は、ユーザによって入力された生体特徴が予め設定された生体特徴と一致する場合、第1のエントリを非暗号化状態に設定するようにさらに構成される。
【０１３７】
プロセッサ901は、非暗号化コンテンツリスト内の第2のエントリを開くためにユーザによって入力された第2の命令を取得するようにさらに構成される。
【０１３８】
出力装置903は、第2の命令に従って、第2のエントリに対応するコンテンツを提示するようにさらに構成される。
【０１３９】
入力装置902は、第2の命令に従って、ユーザによって入力された生体特徴を取得するようにさらに構成される。
【０１４０】
プロセッサ901は、ユーザによって入力された生体特徴が予め設定された生体特徴と一致する場合、第2のエントリを暗号化状態に設定するようにさらに構成される。
【０１４１】
本開示の一実施形態において、プロセッサ901は、ロック画面インタフェース上でユーザによって入力されたロック解除命令を取得するようにさらに構成される。
【０１４２】
入力装置902は、ロック解除命令に従ってユーザの生体特徴を能動的に取得するようにさらに構成される。
【０１４３】
出力装置903は、ユーザの取得された生体特徴が予め設定された生体特徴と一致する場合、暗号化アプリケーションアイコンおよび非暗号化アプリケーションアイコンを表示するようにさらに構成される。
【０１４４】
暗号化アプリケーションアイコンは、ユーザの取得された生体特徴が予め設定された生体特徴と一致しない場合に提示されないアプリケーションアイコンである。
【０１４５】
本開示の一実施形態において、出力装置903は、ユーザの生体特徴が取得されない場合、非暗号化アプリケーションアイコンを表示するようにさらに構成され、または
出力装置903は、ユーザの取得された生体特徴が予め設定された生体特徴と一致しない場合、非暗号化アプリケーションアイコンを表示するようにさらに構成される。
【０１４６】
本開示の一実施形態において、入力装置902は、モバイル端末が位置する地理的位置および環境に関する情報を取得するようにさらに構成される。
【０１４７】
入力装置902は、モバイル端末が位置する地理的位置に関する情報が予め設定された地理的位置情報と一致する場合、および／または環境情報が予め設定された環境情報と一致する場合、アプリケーション起動命令に従ってユーザの生体特徴を能動的に取得するようにさらに構成される。
【０１４８】
図10は、本開示の一実施形態に係るモバイル端末の概略構造図を示す。図10に示すように、モバイル端末は、
ロック画面インタフェース上でユーザによって入力されたロック解除命令を取得するように構成された、プロセッサ1001と、
ロック解除命令に従ってユーザの生体特徴を能動的に取得するように構成された、入力装置1002と、
ユーザの取得された生体特徴が予め設定された生体特徴と一致する場合、ロック解除された第1のインタフェースを提示するように構成された、出力装置1003であって、第1のインタフェースのインタフェース要素は、暗号化アプリケーションアイコンおよび非暗号化アプリケーションアイコンを含む、出力装置と
を含む。モバイル端末は、メモリとバスをさらに含み、プロセッサ1001と、入力装置1002と、出力装置1003と、メモリは、バスを使用して互いに接続されている。
【０１４９】
暗号化アプリケーションアイコンは、ユーザの取得された生体特徴が予め設定された生体特徴と一致しない場合に提示されないアプリケーションアイコンである。
【０１５０】
本開示の一実施形態において、出力装置1003は、ユーザの取得された生体特徴が予め設定された生体特徴と一致しない場合、ロック解除された第2のインタフェースを提示するようにさらに構成される。第2のインタフェースのインタフェース要素は、非暗号化アプリケーションアイコンを含む。
【０１５１】
本開示の一実施形態において、入力装置1002は、モバイル端末が位置する地理的位置および環境に関する情報を取得するようにさらに構成される。
【０１５２】
入力装置1002は、モバイル端末が位置する地理的位置に関する情報が予め設定された地理的位置情報と一致する場合、および／または環境情報が予め設定された環境情報と一致する場合、アプリケーション起動命令に従ってユーザの生体特徴を能動的に取得するようにさらに構成される。
【０１５３】
本開示に係るモバイル端末は、羞恥を回避するために、ユーザのプライバシーを保護することができ、プライバシー保護は他のユーザに容易に認識されない。
【０１５４】
本開示の実施形態は、モバイル端末のプライバシー保護方法および装置、並びにモバイル端末を提供する。アプリケーション起動命令が取得され、アプリケーション起動命令に従ってユーザの生体特徴が能動的に取得され、ユーザの取得された生体特徴が予め設定された生体特徴と一致する場合、対応するアプリケーションの暗号化コンテンツリストおよび非暗号化コンテンツリストが表示される。アプリケーションの暗号化コンテンツリストは、アプリケーション内の暗号化コンテンツに従って生成され、アプリケーションの非暗号化コンテンツリストは、アプリケーション内の非暗号化コンテンツに従って生成され、アプリケーション内の暗号化コンテンツは、ユーザの取得された生体特徴が、予め設定された生体特徴と一致しない場合に提示されないコンテンツである。本開示は、不必要な羞恥を回避し、ユーザの使用経験を改善するために、容易に認識されることなく、モバイル端末のプライバシーを保護することができる。
【０１５５】
システムの実施形態は基本的に方法の実施形態に対応する。関連部品に関しては、方法の実施形態の部品を参照することができる。記載されたシステムの実施形態は単なる一例にすぎない。別々の部品として記述されたユニットは物理的に分離している場合もそうではない場合もあり、ユニットとして表された部品は物理的ユニットである場合もそうではない場合もあり、一箇所に位置する場合もあり、複数のネットワークユニット上に分散される場合もある。モジュールの一部または全部を、各実施形態の解決策の目的を達成するための実際の必要に応じて選択することもできる。当業者は、本開示の実施形態を難なく理解し、実現することができる。
【０１５６】
本開示は、コンピュータによって実行される実行可能なコンピュータ命令、例えばプログラムモジュールの一般的な文脈で説明することができる。一般に、プログラムユニットは、特定のタスクを実行するため、または特定の抽象データ型を実装するためのルーチン、プログラム、オブジェクト、コンポーネント、データ構造などを含む。本開示は、通信ネットワークを介して接続されたリモート処理装置によってタスクが実行される分散コンピューティング環境においても実施されてもよい。分散コンピューティング環境では、プログラムモジュールは、記憶装置を含む、ローカルとリモート両方のコンピュータ記憶媒体に配置されてもよい。
【０１５７】
当業者は、方法の各実施形態の各ステップの全部または一部を関連ハードウェアに命令するプログラムによって実現することができることを理解するであろう。プログラムは、読み出し専用メモリ（ROM）、ランダムアクセスメモリ（RAM）、磁気ディスク、または光ディスクなどのコンピュータ読み取り可能な記憶媒体に格納されてもよい。
【０１５８】
本明細書において、第1や第2といった関係語は、あるエンティティもしくは操作を別のエンティティもしくは操作と区別するために使用されるにすぎず、必ずしも、これらのエンティティ間もしくは操作間に任意の実際の関係もしくは順番が存在することを必要とし、もしくは意味するとは限らないことに留意すべきである。加えて、「include」、「comprise」という用語、またはこれらの任意の他の変形は、非排他的包含を対象とするためのものであり、そのため、要素のリストを含むプロセス、方法、物品、もしくは装置は、それらの要素を含むのみならず、明記されていない他の要素も含み、または、そうしたプロセス、方法、物品、もしくは装置に固有の要素をさらに含むものである。「includes a ...」の後に続く要素は、さらなる制約条件がなければ、当該要素を含むプロセス、方法、物品または装置における追加的な同一の要素の存在を除外するものではない。
【０１５９】
要するに、以上の説明は単に本開示の実施形態の例示にすぎず、本開示の保護範囲を限定するためのものではない。本明細書では、具体例を用いて本開示の原理および実施態様が説明されている。前述の実施形態の説明は、単に、本開示の方法および中核となる思想の理解を助けるためのものにすぎない。加えて、当業者は、本開示の思想に従えば、具体的な実施態様および適用範囲に対して変更を加えることもできる。したがって、本明細書の内容を本開示に対する限定として解釈してはならない。したがって、本明細書の内容を本開示に対する限定として解釈してはならない。本開示の趣旨および原理を逸脱することなくなされるあらゆる改変、等価の置換、または改善は、本開示の保護範囲内に含まれるものである。
【符号の説明】
【０１６０】
301、302  写真
701、801  命令取得部
702、802  生体特徴取得部、指紋取得サブユニット
703、803  表示部
901、1001  プロセッサ
902、1002  入力装置
903、1003  出力装置
【手続補正２】
【補正対象書類名】特許請求の範囲
【補正対象項目名】全文
【補正方法】変更
【補正の内容】
【特許請求の範囲】
【請求項１】
モバイル端末によって実行されるプライバシー保護方法であって、
前記モバイル端末がロック状態にある場合、命令を取得するステップであって、前記命令は、前記モバイル端末のロック画面上にアプリケーションの通知を表示するように構成される、ステップと、
前記命令を受信することに応じて、ユーザの生体特徴を取得するステップと、
前記ロック画面を点灯させ、前記ロック画面上に前記通知を表示するステップであって、前記通知は、前記ユーザの前記生体特徴が予め設定された生体特徴と一致する場合、第1のコンテンツを含み、前記通知は、前記ユーザの前記生体特徴が前記予め設定された生体特徴と一致しない場合、第2のコンテンツを含み、前記第1のコンテンツは前記第2のコンテンツと異なる、ステップと
を含む、プライバシー保護方法。
【請求項２】
前記ユーザの前記生体特徴を取得するステップは、前記ユーザの顔特徴を取得するステップを含む、請求項1に記載のプライバシー保護方法。
【請求項３】
前記第1のコンテンツは第1の暗号化コンテンツを含み、前記第2のコンテンツは第2の暗号化コンテンツを含む、請求項2に記載のプライバシー保護方法。
【請求項４】
前記アプリケーションはインスタント・メッセージ・プログラムであり、前記アプリケーションの前記通知はメッセージである、請求項3に記載のプライバシー保護方法。
【請求項５】
前記第1のコンテンツは前記メッセージの詳細なコンテンツを含み、前記第2のコンテンツは前記詳細なコンテンツを含まない、請求項4に記載のプライバシー保護方法。
【請求項６】
前記ユーザの前記生体特徴を取得するステップは、前記ユーザの虹彩特徴を取得するステップを含む、請求項1〜5のいずれか一項に記載のプライバシー保護方法。
【請求項７】
前記ユーザの前記生体特徴を取得するステップは、前記ユーザの指紋を取得するステップを含む、請求項1〜5のいずれか一項に記載のプライバシー保護方法。
【請求項８】
前記第1のコンテンツは第1の暗号化コンテンツを含み、前記第2のコンテンツは第2の暗号化コンテンツを含む、請求項1〜7のいずれか一項に記載のプライバシー保護方法。
【請求項９】
前記アプリケーションはインスタント・メッセージ・アプリケーションであり、前記アプリケーションの前記通知はメッセージである、請求項8に記載のプライバシー保護方法。
【請求項１０】
前記第1のコンテンツは前記メッセージの詳細なコンテンツを含み、前記第2のコンテンツは前記詳細なコンテンツを含まない、請求項9に記載のプライバシー保護方法。
【請求項１１】
電子装置であって、
1つ以上のプロセッサと、
前記1つ以上のプロセッサに接続されたディスプレイと、
前記1つ以上のプロセッサに接続され、ユーザの生体特徴を検出するように構成された1つ以上のセンサと、
前記1つ以上のプロセッサに接続され、1つ以上のプログラムおよび第1のソフトウェアアプリケーションを記憶するように構成されたメモリであって、前記1つ以上のプログラムは、前記1つ以上のプロセッサによって実行されるように構成され、前記1つ以上のプログラムは、
前記電子装置がロック状態にある場合、命令を取得することであって、前記命令は、前記電子装置のロック画面上に前記第1のソフトウェアアプリケーションの通知を表示するように構成される、ことと、
前記命令を受信することに応じて、前記ユーザの前記生体特徴を取得することと、
前記ロック画面を点灯させ、前記ロック画面上に前記通知を表示することであって、前記通知は、前記ユーザの前記生体特徴が予め設定された生体特徴と一致する場合、第1のコンテンツを含み、前記通知は、前記ユーザの前記生体特徴が前記予め設定された生体特徴と一致しない場合、第2のコンテンツを含み、前記第1のコンテンツは前記第2のコンテンツと異なる、こと
のための命令を含む、メモリと
を含む、電子装置。
【請求項１２】
前記1つ以上のプログラムは、前記ユーザの顔特徴を取得するための命令をさらに含む、請求項11に記載の電子装置。
【請求項１３】
前記第1のコンテンツは第1の暗号化コンテンツを含み、前記第2のコンテンツは第2の暗号化コンテンツを含む、請求項12に記載の電子装置。
【請求項１４】
前記第1のソフトウェアアプリケーションはインスタント・メッセージ・プログラムであり、前記第1のソフトウェアアプリケーションの前記通知はメッセージである、請求項13に記載の電子装置。
【請求項１５】
前記第1のコンテンツは前記メッセージの詳細なコンテンツを含み、前記第2のコンテンツは前記詳細なコンテンツを含まない、請求項14に記載の電子装置。
【請求項１６】
前記1つ以上のプログラムは、前記ユーザの虹彩特徴を取得するための命令をさらに含む、請求項11〜15のいずれか一項に記載の電子装置。
【請求項１７】
前記1つ以上のプログラムは、前記ユーザの指紋を取得するための命令をさらに含む、請求項11〜15のいずれか一項に記載の電子装置。
【請求項１８】
前記第1のコンテンツは第1の暗号化コンテンツを含み、前記第2のコンテンツは第2の暗号化コンテンツを含む、請求項11〜17のいずれか一項に記載の電子装置。
【請求項１９】
前記第1のソフトウェアアプリケーションはインスタント・メッセージ・アプリケーションであり、前記第1のソフトウェアアプリケーションの前記通知はメッセージである、請求項18に記載の電子装置。
【請求項２０】
前記第1のコンテンツは前記メッセージの詳細なコンテンツを含み、前記第2のコンテンツは前記詳細なコンテンツを含まない、請求項19に記載の電子装置。
【請求項２１】
前記電子装置はスマートフォン、スマートウォッチ、またはウェアラブルデバイスである、請求項11〜20のいずれか一項に記載の電子装置。
【請求項２２】
プロセッサを、請求項1〜10のいずれか一項に記載の方法を実行するように適合させる、プログラム。
【外国語明細書】
2020004424000001.pdf